(57)【要約】【課題】  反射照明と透過照明を精度良く組み付けることのできる画像読取装置を得る。【解決手段】  光源からの光が読取対象で反射した反射および透過光を収束して読取対象の画像を読み取る画像読取装置において、基板と、この基板の一方の面に主走査方向に沿って複数の受光素子が形成されたラインセンサ部と、主走査方向に沿って複数のレンズが配列され、ラインセンサ部へ反射光を収束するレンズアレイ部と、このレンズアレイ部におけるラインセンサ部側の部分を支持し、又は、レンズアレイ部におけるラインセンサ部側の部分と接触し、レンズアレイ部が収束した光以外を遮光する遮光部と、レンズアレイ部及び遮光部を収納部に収納し、レンズアレイ部における読取対象側の部分と遮光部とを覆うと共に、原稿を搬送するための副走査方向に貫通し主走査方向に延在する開口部を設けた透明な部材からなる透明体とを備える。【選択図】  図１
2015231163.tif 000002
【特許請求の範囲】
【請求項１】
光源からの光が読取対象で反射及び透過した読取光を集束して前記読取対象の画像を読み取る画像読取装置において、基板と、この基板の一方の面に主走査方向に沿って複数の受光素子が形成されたラインセンサ部と、前記主走査方向に沿って複数のレンズが配列され、前記ラインセンサ部へ前記読取光を収束するレンズアレイ部と、このレンズアレイ部における前記ラインセンサ部側の部分を支持し、前記レンズアレイ部が収束した光以外を遮光する遮光部と、前記レンズアレイ部及び前記遮光部を収納部に収納し、前記レンズアレイ部における前記読取対象側の部分と前記遮光部とを覆うと共に、前記読取対象を搬送するための、副走査方向に貫通し主走査方向に延在する開口部を有する透明な部材からなる透明体と、この透明体を前記基板に固定し、この固定による前記基板からの押圧力で、前記遮光部を前記透明体に接触、又は、前記遮光部を介して前記レンズアレイ部を前記透明体に接触、或いは、前記遮光部及び前記レンズアレイ部を前記透明体に接触させる固定部とを備えた画像読取装置。
【請求項２】
前記透明体は、前記レンズアレイ部と前記読取対象との間の部分の前記反射光の光路が切り欠かれているものである請求項１に記載の画像読取装置。
【請求項３】
前記透明体は、前記光源からの光を内部で導光し、前記読取対象へ照射するものである請求項１又は２に記載の画像読取装置。
【請求項４】
前記開口部に対して一方の側の端部に、前記遮光部に沿って前記主走査方向に複数配列された第１の光源素子と、前記開口部に対して他方の側の端部に、前記主走査方向に複数配列された第２の光源素子とを前記光源として有する請求項３に記載の画像読取装置。
【請求項５】
前記透明体の前記開口部に対して一方の側の端部及び他方の側の端部に、前記主走査方向に沿って、前記光源からの光を反射する反射領域が形成され、前記透明体の前記主走査方向の端部と対向して形成される光源素子を前記光源として有する、又は、
前記透明体の前記開口部に対して一方の側の端部及び他方の側の端部に、前記主走査方向に沿って、前記光源からの光を反射する反射領域が形成され、前記ラインセンサ部の前記主走査方向の端部に配置された前記受光素子よりも、前記端部に配置された前記受光素子の隣に配置された前記受光素子に対して外側に形成され、前記反射領域の外における前記透明体の前記開口部に対して一方の側の端部に対向した光源素子を前記光源として有する請求項３に記載の画像読取装置。
【請求項６】
前記透明体は、前記レンズアレイ部及び前記遮光部の前記主走査方向に沿った二つの側面のうちの片方、又は、前記レンズアレイ部及び前記遮光部の前記主走査方向に沿った二つの側面のうちの片方を露出させる形状である請求項４又は５に記載の画像読取装置。
【請求項７】
前記透明体は、前記レンズアレイ部及び前記遮光部の前記主走査方向に沿った二つの側面のうちの片方、又は、前記レンズアレイ部及び前記遮光部の前記主走査方向に沿った二つの側面のうちの片方を露出させる形状をし、
前記レンズアレイ部は、前記複数のレンズの光軸と前記読取対象とが交差する点の並びを通る、前記主走査方向と平行な第１仮想線、及び、前記複数配列された光源素子の配列を通る、前記主走査方向と平行な第２仮想線の二つの仮想線が通る仮想平面を外して配置された請求項４に記載の画像読取装置。
【請求項８】
前記透明体は、前記レンズアレイ部及び前記遮光部の前記主走査方向に沿った二つの側面のうちの片方、又は、前記レンズアレイ部及び前記遮光部の前記主走査方向に沿った二つの側面のうちの片方を露出させる形状をし、
前記レンズアレイ部は、前記複数のレンズの光軸と前記読取対象とが交差する点の並びを通る、前記主走査方向と平行な第１仮想線、及び、前記反射領域を通る、前記主走査方向と平行な第２仮想線の二つの仮想線が通る仮想平面を外して配置された請求項５に記載の画像読取装置。
【請求項９】
前記透明体は、前記固定部と一体である請求項１〜８のいずれか１項に記載の画像読取装置。
【請求項１０】
前記固定部は、前記基板を貫通して固定するもの、又は、前記基板を抱えて固定するものである請求項１〜８のいずれか１項に記載の画像読取装置。
【請求項１１】
前記固定部は、前記基板を貫通した部分が溶着したものである請求項１〜８のいずれか１項に記載の画像読取装置。
【請求項１２】
前記固定部は、前記開口部に対して一方の側の端部から、前記ラインセンサ部に対して反対側に延在する鍔部と前記基板とを固定するものである請求項１〜８のいずれか１項に記載の画像読取装置。
【請求項１３】
前記固定部は、前記収納部と反対側の前記透明体の表面に、前記主走査方向と交差する副走査方向の前後で、それぞれ形成された二つの突起部と、前記基板の他方の面側に屈曲した湾曲部分、この湾曲部分の両端にそれぞれ形成され、前記二つの突起部にそれぞれ係止された第１平坦部分及び第２平坦部分を有する弾性部材とを具備し、
前記弾性部材は、前記第１平坦部分及び前記第２平坦部分が、前記基板を貫通して、又は、前記基板を抱えて、前記基板の一方の面と前記基板の他方の面との間に介在し、前記湾曲部分が前記基板の他方の面に押し当てられて接触するものである請求項１〜８のいずれか１項に記載の画像読取装置。
【請求項１４】
前記透明体と前記基板の間に楔状部材を挿入することで前記透明体に前記基板を押し当て固定したものである請求項１〜８のいずれか１項に記載の画像読取装置。
【請求項１５】
前記固定部は、前記収納部と反対側の前記透明体の表面に形成された第１突起部と、前記ラインセンサ部と反対側の前記遮光部の表面であって、前記透明体から露出した前記遮光部の表面に形成された第２突起部と、前記基板の他方の面側に屈曲した湾曲部分、この湾曲部分の両端にそれぞれ形成され、前記第１突起部及び前記第２突起部にそれぞれ係止された第１平坦部分及び第２平坦部分を有する弾性部材とを具備し、
前記弾性部材は、前記第１平坦部分及び前記第２平坦部分が、前記基板を貫通して、又は、前記基板を抱えて、前記基板の一方の面と前記基板の他方の面との間に介在し、前記湾曲部分が前記基板の他方の面に押し当てられて接触するものである請求項６、７、８のいずれか１項に記載の画像読取装置。
【請求項１６】
光源からの光が読取対象で反射及び透過した読取光を収束して前記読取対象の画像を読み取る画像読取装置において、基板と、この基板の一方の面に主走査方向に沿って複数の受光素子が形成されたラインセンサ部と、前記主走査方向に沿って複数のレンズが配列され、前記ラインセンサ部へ前記反射光を収束するレンズアレイ部と、透明な部材からなり、前記レンズアレイ部を収納部に収納し、前記レンズアレイ部の前記読取対象側の部分を前記収納部に固定する、又は、前記レンズアレイ部と前記収納部の一部とを接触させて前記レンズアレイ部を固定する透明体と、前記レンズアレイ部における前記ラインセンサ部側の部分を支持し、又は、前記レンズアレイ部における前記ラインセンサ部側の部分と接触し、前記レンズアレイ部が収束した光以外を遮光し、前記透明体に覆われた遮光部とを備えた画像読取装置。
【請求項１７】
前記透明体を前記基板に固定し、この固定による前記基板からの押圧力で、前記遮光部を前記透明体に接触させる固定部を備えた請求項１６に記載の画像読取装置。
【請求項１８】
前記透明体を前記基板に固定し、この固定による前記基板からの押圧力で、前記遮光部を前記透明体及び前記ロッドレンズ部に接触させる固定部を備えた請求項１６に記載の画像読取装置。
【請求項１９】
前記ロッドレンズ部と前記収納部とは、透明な樹脂で接着される、又は、
前記ロッドレンズ部の前記複数のレンズを保持する板材部と前記透明体の収納部とは、樹脂で接着されるものである請求項１６、１７、１８のいずれか１項に記載の画像読取装置。
【請求項２０】
前記透明体は、前記ロッドレンズ部と前記収納部との間に楔部材を介在させて、前記ロッドレンズ部を固定するものである請求項１６、１７、１８のいずれか１項に記載の画像読取装置。
【請求項２１】
前記透明体は、前記レンズアレイ部と前記読取対象との間の部分の前記反射光の光路が切り欠かれているものである請求項１６〜２０のいずれか１項に記載の画像読取装置。
【請求項２２】
前記透明体は、前記光源からの光を内部で導光し、前記読取対象へ照射するものである請求項１６〜２１のいずれか１項に記載の画像読取装置。
【発明の詳細な説明】
【技術分野】
【０００１】
本発明は、読取対象の画像を読み取る画像読取装置に関する。
【背景技術】
【０００２】
特許文献１及び特許文献２には、反射読取用の画像読取装置に対して読取原稿を挟んだ逆側に透過読取用の照明を配置することで反射画像と透過画像を読取る画像読取装置が開示されている。
【先行技術文献】
【特許文献】
【０００３】
【特許文献１】特開２０１３-５５６４６号公報
【特許文献２】特許第４４２４３６０号
【発明の概要】
【発明が解決しようとする課題】
【０００４】
特許文献１及び特許文献２に記載のものは、反射照明を含む画像読取部と反射照明部が別々に分かれているため、組付け時に画像読取部と透過照明を精度良く組付ける必要があり、組付けに手間がかかるという問題がある。
【０００５】
また、透過照明と反射照明で別々の部品を用意する必要があるため、部品点数が多くなり組み立てに手間がかかる問題もあった。
【０００６】
この発明は上記のような課題を解決するためになされたものであり、反射照明と透過照明を精度良く組み付けることのできる画像読取装置を得ることを目的とする。
【課題を解決するための手段】
【０００７】
この発明に係る画像読取装置は、光源からの光が読取対象で反射及び透過した読取光を集束して前記読取対象の画像を読み取る画像読取装置において、基板と、この基板の一方の面に主走査方向に沿って複数の受光素子が形成されたラインセンサ部と、前記主走査方向に沿って複数のレンズが配列され、前記ラインセンサ部へ前記読取光を収束するレンズアレイ部と、このレンズアレイ部における前記ラインセンサ部側の部分を支持し、前記レンズアレイ部が収束した光以外を遮光する遮光部と、前記レンズアレイ部及び前記遮光部を収納部に収納し、前記レンズアレイ部における前記読取対象側の部分と前記遮光部とを覆うと共に、前記読取対象を搬送するための、副走査方向に貫通し主走査方向に延在する開口部を有する透明な部材からなる透明体と、この透明体を前記基板に固定し、この固定による前記基板からの押圧力で、前記遮光部を前記透明体に接触、又は、前記遮光部を介して前記レンズアレイ部を前記透明体に接触、或いは、前記遮光部及び前記レンズアレイ部を前記透明体に接触させる固定部とを備えたものである。
【発明の効果】
【０００８】
この発明によれば、内部に凹み部を有し、主走査方向の側面が副走査方向に鉛直な方向から所定の角度で傾斜し、この傾斜した側面に光を反射させて被照射体に光を照射する導光体に主走査方向に延在する原稿搬送穴および反射領域を設けることで、前記導光体に反射と透過照明の機能を持たせ、反射照明系と透過照明系の位置調整を行わずに簡単に組みつけが可能な画像読取装置が実現される。
【図面の簡単な説明】
【０００９】
【図１】本発明の実施の形態１に係る画像読取装置の斜視図である。
【図２】本発明の実施の形態１に係る画像読取装置の断面図である。
【図３】本発明の実施の形態１に係る画像読取装置の断面図である。
【図４】本発明の実施の形態１に係る画像読取装置の断面図である。
【図５】本発明の実施の形態１に係る画像読取装置の展開図（分解図（分解斜視図））である。
【図６】本発明の実施の形態１に係る画像読取装置の断面図である。
【図７】本発明の実施の形態１に係る画像読取装置の斜視図である。
【図８】本発明の実施の形態１に係る画像読取装置の断面図である。
【図９】本発明の実施の形態１に係る画像読取装置の断面図である。
【図１０】本発明の実施の形態１に係る画像読取装置の機能ブロック図及びグラフである。
【図１１】本発明の実施の形態１に係る画像読取装置の断面図である。
【図１２】本発明の実施の形態２に係る画像読取装置の断面図である。
【図１３】本発明の実施の形態２に係る画像読取装置の断面図である。
【図１４】本発明の実施の形態３に係る画像読取装置の断面図である。
【図１５】本発明の実施の形態３に係る画像読取装置の断面図及び斜視図である。
【図１６】本発明の実施の形態３に係る画像読取装置の断面図である。
【図１７】本発明の実施の形態３に係る画像読取装置の断面図及び斜視図である。
【図１８】本発明の実施の形態３に係る画像読取装置の断面図である。
【図１９】本発明の実施の形態３に係る画像読取装置の断面図及び斜視図である。
【図２０】本発明の実施の形態３に係る画像読取装置の断面図である。
【図２１】本発明の実施の形態３に係る画像読取装置の断面図及び斜視図である。
【図２２】本発明の実施の形態４に係る画像読取装置の断面図である。
【図２３】本発明の実施の形態４に係る画像読取装置の斜視図である。
【図２４】本発明の実施の形態５に係る画像読取装置の斜視図である。
【図２５】本発明の実施の形態５に係る画像読取装置の断面図である。
【図２６】本発明の実施の形態５に係る画像読取装置の断面図である。
【図２７】本発明の実施の形態５に係る画像読取装置の展開図（分解図（分解斜視図））である。
【図２８】本発明の実施の形態５に係る画像読取装置の断面図である。
【図２９】本発明の実施の形態５に係る画像読取装置の基板６を除いた状態で裏面から見た斜視図である。
【図３０】図２９において基板６を装着した図である。
【図３１】本発明の実施の形態５に係る画像読取装置の斜視図である。
【図３２】本発明の実施の形態５に係る画像読取装置の断面図である。
【図３３】本発明の実施の形態５に係る画像読取装置の断面図である。
【図３４】本発明の実施の形態５に係る画像読取装置の展開図（分解図（分解斜視図））である。
【図３５】本発明の実施の形態５に係る画像読取装置の断面図である。
【図３６】本発明の実施の形態５に係る画像読取装置の断面図である。
【図３７】本発明の実施の形態５に係る画像読取装置の断面図である。
【図３８】本発明の実施の形態５に係る画像読取装置の断面図である。
【図３９】本発明の実施の形態５に係る画像読取装置の断面図である。
【図４０】本発明の実施の形態５に係る画像読取装置の断面図である。
【図４１】本発明の実施の形態５に係る画像読取装置の展開図（分解図（分解斜視図））
【図４２】本発明の実施の形態５に係る画像読取装置の斜視図である。
【図４３】本発明の実施の形態５に係る画像読取装置の断面図である。
【図４４】本発明の実施の形態５に係る画像読取装置の断面図である。
【図４５】本発明の実施の形態５に係る画像読取装置の断面図である。
【図４６】本発明の実施の形態６に係る画像読取装置の断面図である。
【図４７】本発明の実施の形態６に係る画像読取装置の断面図である。
【図４８】本発明の実施の形態６に係る画像読取装置の断面図である。
【図４９】本発明の実施の形態６に係る画像読取装置の断面図である。
【図５０】本発明の実施の形態６に係る画像読取装置の断面図である。
【図５１】本発明の実施の形態６に係る画像読取装置の断面図である。
【図５２】本発明の実施の形態６に係る画像読取装置の断面図である。
【図５３】本発明の実施の形態７に係る画像読取装置の斜視図である。
【図５４】本発明の実施の形態７に係る画像読取装置の展開図（分解図（分解斜視図））である。
【図５５】本発明の実施の形態７に係る画像読取装置の断面図である。
【図５６】本発明の実施の形態７に係る画像読取装置の斜視図である。
【図５７】本発明の実施の形態７に係る画像読取装置の断面図である。
【図５８】本発明の実施の形態７に係る画像読取装置の展開図（分解図（分解斜視図））
【図５９】本発明の実施の形態８に係る画像読取装置の展開図（分解図（分解斜視図））
【図６０】本発明の実施の形態８に係る画像読取装置の展開図（分解図（分解斜視図））
【発明を実施するための形態】
【００１０】
実施の形態１．
本発明に係る画像読取装置は、光源（光源素子１）からの光（照明光）が読取対象Ｍで反射および透過した光を収束して読取対象Ｍの画像を読み取る画像読取装置において、基板６および６ｄと、この基板６の一方の面に主走査方向に沿って複数の受光素子が形成されたラインセンサ部４と、主走査方向に沿って複数のレンズが配列され、ラインセンサ部４へ反射光および透過光を収束するレンズアレイ部３（結像光学系３）と、このレンズアレイ部３におけるラインセンサ部４側の部分を支持し、又は、レンズアレイ部３におけるラインセンサ部４側の部分と接触し、レンズアレイ部３が収束した光以外を遮光する遮光部５と、レンズアレイ部３及び遮光部５を収納部に収納し、レンズアレイ部３における読取対象Ｍ側の部分と遮光部５とを覆う透明な部材からなり、読取対象Ｍを搬送する開口部２ｐを持った透明体２とを備える。以下、実施の形態１を含む本発明の実施の形態を説明していく。各実施の形態の携帯の説明及び図面の説明おいて、同一又は同様の構成部分については同じ符号を付している。なお、本発明に係る画像読取装置を「画像読取装置１０」として以下の説明を行う。
【００１１】
本発明に係る実施の形態１に関して、図１〜図１１を用いて説明する。図１は、実施の形態１に係る画像読取装置の斜視図である。画像読取装置１０は、密着イメージセンサ（Ｃｏｎｔａｃｔ  Ｉｍａｇｅ  ｓｅｎｓａｒ；ＣＩＳ）である。図１に示すＸ軸方向は、画像読取装置１０の主走査方向を意味している。Ｙ軸方向は、画像読取装置１０の主走査方向にと交差（直交）する副走査方向を意味している。副走査方向は、読取対象Ｍが搬送される搬送方向である。Ｚ軸方向は、Ｘ軸とＹ軸で規定されるＸＹ平面と直交する軸の方向で、画像読取装置１０の結像光学系１０の光軸方向であり、結像光学系１０の焦点深度を示すための方向である読取深度方向ともいえる。
【００１２】
図２（ａ）は、図１に示すＹ軸とＺ軸とで規定されるＹＺ平面と平行な平面である仮想平面ＡＡ’での画像読取装置１０の断面図である。詳しくは、仮想平面ＡＡ’は、主走査方向（Ｘ軸方向）に複数並べられた光源素子１の一つと交差する部分の断面図である。なお、光源素子１は、結像光学系３を間に挟んで二列（光源素子１ａ）、読取対象Ｍを挟んで結像光学系と反対側の位置に一列（光源素子１ｂ）並べられているので、厳密には、仮想平面ＡＡ’は主走査方向（Ｘ軸方向）に複数並べられた光源素子１ａの二つと交差する断面といえる。もちろん、結像光学系３を間に挟んで二列並べられている光源素子１ａが千鳥配置であれば、仮想平面ＡＡ’は主走査方向（Ｘ軸方向）に複数並べられた光源素子１ａの一つと交差する断面といえる。この実施の形態１を含む発明の実施の形態２，３，４では、結像光学系３を間に挟んで二列並べられている光源素子１ａが千鳥配置ではなく、副走査方向（Ｙ軸方向）において対向している場合を例示的に用いて説明している。読取対象Ｍは、例えば、原稿、本、誌面、文書（一般文書）、絵画、写真、スライドフィルム、フィルム、紙幣、証券、基板、電子部品、指紋などイメージ情報である被読取媒体（被照射体）である。
【００１３】
図１及び図２（ａ）において、透明体２は、例えば、樹脂やガラスで構成され、Ｘ軸方向に延在している導光部材であり導光体とも称する。特に、画像読取装置１０用の光源である光源素子１が発光した光（照明光）を透明体２内で導光される場合、透明体２を導光体２と称する。本発明の実施の形態では、画像読取装置１０が光源素子１（光源）を有しているものを例示的に説明で使用している。実施の形態１では、先に説明した光源素子１が、透明体２の読取対象Ｍに対して反対側の端部に対向して、遮光部材５（遮光部５）に沿って主走査方向（Ｘ軸）に複数配列されており、光源として機能している。透明体２には、副走査方向（Ｙ軸方向）に貫通し、主走査方向（Ｘ軸）方向に延在する開口部２ｐを有する。開口部２ｐは読取対象Ｍの搬送路となる。なお、基板６に設置された光源素子１ａが読取対象Ｍの反射光、基板６ｄに設置された光源素子１ｂが読取対象Ｍの透過光を読取るための光源となる。透明体２の主走査方向の端部には、本発明の画像読取装置を、複写機等の上位機器に組み込む際に使用される、位置決め用のピン２ｒを備えている。
【００１４】
このように、本発明の実施の形態では、透明体２が導光体２であるもののみを開示しているが、画像読取装置１０の外部に光源素子１が存在し、光源素子１からの光が透明体２内に入らず、直接、読取対象Ｍへ照射される場合でも本発明は適用可能である。いずれの場合であっても、結像光学系３と読取対象Ｍとの間の部分の読取対象Ｍからの反射および透過光の光路（光（反射光を含む）が進む経路）が、切り欠かれている場合を除き、読取対象Ｍからの反射光は、透明体２内を透過する。つまり、透明体２は、光源（光源素子１）からの光を内部で導光し、読取対象Ｍへ照射する機能がある場合は、導光体２と呼べる。導光体２の場合は、光源（光源素子１）からの光の光路に、導光体２の反射光の光路となっている部分が含まれている。なお、光源素子１（光源）は、ＬＥＤ（Ｌｉｇｈｔ  Ｅｍｉｔｔｉｎｇ  ｄｉｏｄｅ）や有機ＥＬ（Ｏｒｇａｎｉｃ  Ｅｌｅｃｔｒｏ  Ｌｕｍｉｎｅｓｃｅｎｃｅ）などの点光源の素子が好適であるが、これに限るものではない。本発明の実施の形態では、光源素子１がＬＥＤの場合を例示的に用いる。
【００１５】
図１及び図２（ａ）において、導光体２の導光部２ａは、導光体２の内部で光源（光源素子１ａ）、導光体２の導光部２ｑは導光体２の内部で光源（光源素子１ｂ）が導光される部分を意味している。導光体２（透明体２）の開口部２ｐ内の読取対象搬送側面２ｂは、導光体２（透明体２）の表面のうち、搬送される読取対象Ｍと対向する面を指す。読取対象搬送側面２ｂ上から結像光学系３と反対方向側に、結像光学系３の焦点である結像光学系３の読取位置が設定される。読取対象搬送側面２ｂ上に焦点が設定されている場合は、読取対象Ｍを読み取るために、搬送される読取対象Ｍが読取対象搬送側面２ｂに接する、又は、極めて近傍を通過させるので、読取対象搬送側面２ｂは、原稿設置面２ｂといえる。本発明に係る実施の形態では、このような読取対象搬送側面２ｂが原稿設置面２ｂといえる状態を例示的に説明に用いる。また、前述のように、導光体２（透明体２）に切り欠きを設ける場合は、読取対象搬送側面２ｂ（原稿設置面２ｂ）の全て、又は、一部がない状態になる。このような場合は、読取対象搬送側面２ｂ（原稿設置面２ｂ）の少なくとも一部は仮想面となる。もちろん、仮想面には読取対象Ｍは接触しない。切り欠きを設ける場合に関しての詳細は後述する。
【００１６】
図１及び図２（ａ）において、結像光学系３は、主走査方向に沿って複数のレンズが配列され、ラインセンサ部へ反射光を収束するレンズアレイ部３である。本発明の実施の形態では、結像光学系３（レンズアレイ部３）は、アレイ状に配列した複数のロッドレンズ（ロッドレンズアレイ）が板材で挟み込まれたロッドレンズアレイ部３で構成されている場合を例示的に用いて説明を行っているが、ロッドレンズアレイと同じく正立等倍光学系であるマイクロレンズアレイなどの別のレンズアレイを用いてもよい。マイクロレンズアレイを使用する場合、結像光学系３（レンズアレイ部３）は、複数のレンズ（レンズアレイ）が板材で挟み込まれたマイクロレンズアレイ部３となる。
【００１７】
正立等倍光学系の結像光学系３を構成する場合は、図２（ｂ）のように読取対象搬送側面２ｂの向かい、基板６側の面にレンズ機能を持たせてもよい。このレンズ機能は、結像光学系３と読取対象Ｍとの間の部分の読取対象Ｍからの反射光の光路（光（反射光を含む）が進む経路）に当たる透明体２の部分を切り欠かいて、この切り欠きにレンズを嵌め込んで得てもよい。これらの場合は、読取対象搬送側面２ｂの一枚のレンズを形成し、結像光学系３が収納される透明体２の収納部２Ｌに、もう一枚のレンズを固定することになる。なお、透明体２の収納部２Ｌに収まるものや、読取対象搬送側面２ｂを含む透明体２に形成可能なものであれば、結像光学系３は正立等倍光学系に限るものではない。さらに、透過照明の光出射部である導光部２ｑのもっとも読取対象Ｍに近い面に曲率を与えることで光を集光しより明るい照明を行うこともできる。
【００１８】
また、結像光学系３は、透明体２と基板６の間に設置され、この実施の形態１では、結像光学系３と基板６の間に設置された遮光部材５に結像光学系３を固定されているが、透明体２に接着剤２１（接着剤２２）やテープなどで保持してもよいし、楔部材２３を透明体２と結像光学系３との間に打ち込んで固定してもよい。このような場合の別の実施の形態で説明を行う。
【００１９】
結像光学系３の光軸は、読取対象Ｍの読取面（原稿面）に対して垂直に配置されており、読取対象Ｍからの反射光及び透過光を受光部であるセンサＩＣ４に結像させる機能を有する。センサＩＣ４は、基板６の一方の面に主走査方向に沿って複数の受光素子が形成されたラインセンサ部４（センサアレイ部４と称してもよい。）である。センサＩＣ４は、結像光学系３で収束された光を受光し、光電変換して電気信号を出力する。センサＩＣ４には、半導体チップ等で構成された受光部、その他の駆動回路などが搭載されている。これは、基板６の一方の面及び他方の面並びに内部に配置されている。なお、ラインセンサ部４の主走査方向の軸の延長線上に、透明体２のピン２ｒが備えられている。これにより、画像読取装置１０を、上位機器に組み込む際、ピン２ｒを基準とすることにより、精度良く組み込むことができる。
【００２０】
遮光部材５は、結像光学系３におけるセンサＩＣ４側の部分を支持し、結像光学系３が収束した光以外を遮光する遮光部５として機能する。基板６と結像光学系３の間に設置された遮光部材５は、副走査方向に所定の長さを有し、主走査方向及び副走査方向に直交する方向、つまり光軸方向（Ｚ軸方向）に貫通し、主走査方向に延在する開口部を有する構造を備えている。遮光部材５は、前述の画像読取装置１０の外部からセンサＩＣ４に入射してくる光を遮る機能がある。遮光部材５は、結像光学系３を透過してセンサＩＣ４に入射せずに基板６で散乱反射され、周りの部材で反射された光が、センサＩＣ４に入射しないよう反射率の低い黒樹脂やアルマイト処理などを行った部材で作ることが望ましい。また、遮光部材５はセンサＩＣ４にゴミなどが進入することを防ぐ防塵効果もある。なお、別の実施の形態では、遮光部材５の防塵機能を別部材（防塵部材７）と説明する場合もある。
【００２１】
また、図３や図４のように透明体２で光源素子１ａを被い防塵を行ってもよい。図３及び図４は、図２と同じくＹ軸とＺ軸とで規定されるＹＺ平面（仮想平面）での画像読取装置１０の断面図であり、光源素子１が配置された部分での断面図である。まず、図３に記載の画像読取装置１０では、縮小光学系３が収納された収納部と反対側の透明体２の表面であって、副走査方向の前後で、透明体２の読取対象Ｍに対して反対側の端部が延伸して、主走査方向に亘って基板６と接触している。このような構造であるため、図３に示す透明体２の延伸部分は、防塵機能を担うことができるので、遮光部材５の防塵機能が弱い場合でも、センサＩＣ４は防塵される。また、透明体２の延伸部分が防塵機能を有しているため、光源素子１ａも防塵される。次に、図４に記載の画像読取装置１０では、アレイ状に配列された複数の光源素子１（光源アレイ）と遮光部材５との間で、透明体２の読取対象Ｍに対して反対側の端部が延伸して、主走査方向に亘って基板６と接触している。このような構造であるため、図４に示す透明体２の延伸部分は、防塵機能を担うことができるので、遮光部材５の防塵機能が弱い場合でも、センサＩＣ４は防塵される。もちろん、図３及び図４に示す透明体２の延伸部分を併用してもよい。
【００２２】
基板６には、光源素子１ａ、センサＩＣ４、外部コネクタ８、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など用いた信号処理ＩＣ１１などの電子部品が設置される。信号処理ＩＣ１１は、ＣＰＵ（Ｃｅｎｔｒａｌ  Ｐｒｏｃｅｓｓｉｎｇ  Ｕｎｉｔ；中央処理装置）１２ａやＲＡＭ（Ｒａｎｄｏｍ  Ａｃｃｅｓｓ  Ｍｅｍｏｒｙ）１２ｂと連動して、センサＩＣ４により受光した光電変換出力などを信号処理する。信号処理ＩＣ１１内のＣＰＵ１２ａ、ＲＡＭ１２ｂ及び信号処理回路１２ｃをまとめて信号処理部１２と呼ぶ。外部コネクタ８は、センサＩＣ４の光電変換出力、その信号処理出力を含む入出力信号インターフェース用として用いる。
【００２３】
図５は、実施の形態１に係る画像読取装置の展開図（分解図（分解斜視図））である。本発明の実施の形態に係る画像読取装置は、透明体２、結像光学系３、センサＩＣ４は、読取対象Ｍの有効読取幅（主走査方向の有効読取幅）と同等以上の長さを有するものである。図５では、光源素子１の符号は、光源の主走査方向（Ｘ軸方向）の端部に配置されたもの（図中では四つ）だけに付している。
【００２４】
図１〜図５に示す画像読取装置１０では、透明体２が、結像光学系３及び遮光部材５を収納部に収納し、結像光学系３における読取対象Ｍ側の部分と遮光部材５とを覆うものを示している。また、本発明に係る画像読取装置１０の固定部（係合部２ｃ，係合部２ｄ，突起部２ｅ，ネジ９，クリップ１６，クリップ１７，接着部材１８，弾性部材１９、楔部材２３）は、透明体２を基板６に固定し、この固定による基板６からの押圧力で、遮光部材５及び結像光学系３を透明体２に接触させるものを例示的に説明に用いている。しかし、本発明に係る画像読取装置１０の固定部（係合部２ｃ，係合部２ｄ，突起部２ｅ，突起部２ｆ，係合部２ｇ）は、透明体２を基板６に固定し、この固定による基板６からの押圧力で遮光部材５を透明体２に接触させるものでもよい。同じく、透明体２を基板６に固定し、この固定による基板６からの押圧力で、遮光部材５を介して結像光学系３を透明体２に接触させるものでもよい。このような場合における画像読取装置１０の図示は省略する。
【００２５】
なお、係合部２ｃに関しては、図６〜図９を用いて後述する。係合部２ｄ，突起部２ｅ，ネジ９，クリップ１６，クリップ１７，接着部材１８，弾性部材１９に関しては、実施の形態５で説明する。また、本発明に係る画像読取装置において、固定部は、係合部２ｃ，係合部２ｄ，突起部２ｅ，ネジ９，クリップ１６，クリップ１７，接着部材１８，弾性部材１９、楔部材２３による透明体２と基板６との固定に関与する透明体２又は基板６の部材を含めて、固定部と称してもよい。なお、固定方法は基板６に対して説明しているが基板６ｄにも同様の固定方法を適応できる。
【００２６】
また、固定部（係合部２ｃ，係合部２ｄ，突起部２ｅ，突起部２ｆ，係合部２ｇ）によって、透明体２を基板６に固定し、この固定による基板６からの押圧力で遮光部材５が透明体２に接触する場合、又は、固定部（係合部２ｃ，係合部２ｄ，突起部２ｅ，突起部２ｆ，係合部２ｇ）によって、結像光学系３が透明体２に接触するが、結像光学系３の読取対象Ｍ側の先端部分、つまり、透明体２における読取対象Ｍからの反射および透過光が透明体２を透過してくる部分と対向する部分で、結像光学系３と透明体２とが接触していない場合は、透明体２における読取対象Ｍからの反射光が透明体２を透過してくる部分と、その部分に対向する結像光学系３の部分（結像光学系３の読取対象Ｍ側の先端部分）との間に空間（以下、「空間Ｓ」と称する）ができることになる。
【００２７】
前述の空間Ｓが生じると、読取対象Ｍの反射光が、透明体２から空間Ｓへ進行してくる際にフレネル反射が生じる場合がある。このような場合は、空間Ｓを透明な樹脂（屈折率が透明体２と同じか近いものが好適）で埋めることでフレネル反射を抑制することができる。また、空間Ｓを埋めるのではなく、結像光学系３と読取対象Ｍとの間の部分の読取対象Ｍから反射光の光路が切り欠かれている透明体２を用いて、空間Ｓを切り欠きによって開放することで、フレネル反射を抑制してもよい。この場合の切り欠き（切り欠き部分）は、読取対象Ｍから結像光学系３に向かうにつれて狭まっていくテーパ状の構造が好適である。テーパ状の構造によって読取対象Ｍからの反射光が、切り欠き部分において、反射（散乱反射）することを低減することができる。また、切り欠き部分の表面を反射率の低い黒樹脂やアルマイト処理などを行って遮光の処理を施してもよい。
【００２８】
図６〜図９は透明体２と基板６の固定方法（固定部）を示した一例である。図６及び図７は、透明体２の基板側に数箇所、基板固定用の返しがついた突起、つまり、係合部２ｃ（固定部）を設けた場合である。図６は図７の断面図である。詳しくは、図６は、図７に記載の画像読取装置１０におけるＹ軸とＺ軸とで規定されるＹＺ平面（仮想平面）での断面図であり、光源素子１ａが配置された部分での断面図である。図６及び図７に示す画像読取装置１０は、副走査方向（Ｙ軸方向）において光源素子１ａと係合部２ｃとが対面しているものである。もちろん、必ずしも副走査方向において光源素子１ａと係合部２ｃとを対面させる必要はない。また、係合部２ｃを主走査方向に長い１つの突起としてもよい。しかし、突起の剛性が上がり、うまく基板６を抱えこめない場合は、図６及び図７に示すように、主走査方向の数箇所に分ける事が望ましい。具体的には、図６及び図７では、八つの固定部が、主走査方向の片側に四箇所ずつ形成されたものを図示している。よって、図６及び図７に示す係合部２ｃ（固定部）は、基板６を抱えて固定するものであるといえる。図６及び図７に示す係合部２ｃ（固定部）と透明体２とは、一体である。もちろん、係合部２ｃ（固定部）を透明体２とは別の部材にしてもよい。
【００２９】
また、図７に記載された組み付け部２ｓはＺ方向に貫通穴が開いた突起部であり、上位機器に画像読取装置１０を組付ける際に使用する。組み付け部２ｓの貫通穴にネジを通し、上位機器に用意されたネジ穴固定する。その際に画像読取装置１０はネジによってＺ方向に力を受けるため、画像読取装置１０のＺ方向へのソリを矯正する効果もある。なお、組み付け部２ｓの穴を埋めて上位機器からネジで組み付け部２ｓを押しつけても、主走査方向に延存するコの字のレールを副走査方向に２個並べ、画像読取装置１０を主走査方向にスライドさせながらレールに組み付け部２ｓを挿入することでも同様の効果が得られる。
【００３０】
図８は、図２（ａ）及び図７と同じく画像読取装置１０におけるＹ軸とＺ軸とで規定されるＹＺ平面（仮想平面）での断面図であるが、光源素子１ａが配置されていない部分での断面図である。図８は、アレイ状に主走査方向に沿って配列された複数の光源素子１ａの間に、つまり、基板６側の光源素子１ａが設置されていない領域に孔（複数の孔）を作製し、これらの複数の孔に対向する位置の透明体２の基板６側に突起（係合部２ｃ）を作製した場合である。この突起（係合部２ｃ）を基板６の孔に通した状態で透明体２の突起（係合部２ｃ）を溶かして固定する熱融着を行なう。換言すると、固定部は、基板６を貫通した部分が溶着したものであるといえる。
【００３１】
次に、図９は、アレイ状に主走査方向に沿って配列された複数の光源素子１ａの間に、つまり、基板６側の光源素子１ａが設置されていない領域に孔（複数の孔）を作製し、これらの複数の孔に対向する位置の透明体２の基板６側にネジ穴を作製した場合である。つまり、図９は、ネジ（係合部２ｃ）によって、ネジ止めを行なった場合である。詳しくは、ネジ（係合部２ｃ）を基板６の他方の面側から孔を介して、透明体２のネジ穴に通して締結するものである。なお、ネジだけを係合部２ｃ（固定部）と称するのではなく、ネジとネジ穴とで係合部２ｃ（固定部）と称してもよいし、ネジ，孔（基板６），ネジ穴の三つの部材で係合部２ｃ（固定部）と称してもよい。
【００３２】
よって、図８及び図９にそれぞれ示す係合部２ｃ（固定部）は、基板６を貫通して固定するものであるといえる。図８に示す係合部２ｃ（固定部）と透明体２とは、一体である。もちろん、図８に示す係合部２ｃ（固定部）を透明体２とは別の部材にしてもよい。また、図８及び図９に示す係合部２ｃ（固定部）をそれぞれ併用してよい。例えば、図９に示す係合部２ｃ（固定部）、つまり、ネジを適用した部分で、透明体２と基板６との正確な位置決めに利用して、この位置決めができた後に、図８に示す係合部２ｃ（固定部）を溶着することで、画像読取装置１０の組み立てを容易にすることができる。図８及び図９に示す係合部２ｃ（固定部）をそれぞれ、図６（図７）に示す係合部２ｃと併用してもよい。
【００３３】
ここで、実施の形態１に係る画像読取装置の動作を説明する。ここで、説明する画像読取装置１０は光源素子１を内部に有するもので、この光源素子１が発光した光を透明体２内で導光するものである。つまり、透明体２が導光体２の場合である。図１０（ａ）は、実施の形態１に係る画像読取装置の機能ブロック図である。最初に、信号処理ＩＣ１１が、ＣＰＵ１２ａに連動して、光源駆動回路１ｄに光源点灯信号を送信する。光源駆動回路１ｄは、受信した光源点灯信号を基に、複数の光源素子１（１ａ、１ｂ）にそれぞれ所定時間電源を供給する。光源素子１ａが発生する照明光は、透明体２ａ（導光体２ａ）内へ入射し、透過または反射を繰り返しながら読取対象Ｍへ照射される。画像読取装置１０の外部に光源素子１ａが存在する場合や、光源素子１ａからの照明が透明体２ａ内に入らず、直接、読取対象Ｍへ照射される場合でも、画像読取装置１０によって、光源素子１の駆動制御を行ってもよい。光源素子１ｂが発生する照明光は、透明体２ｑ（導光体２ｑ）内へ入射し、透過または反射を繰り返しながら読取対象Ｍへ照射される。
【００３４】
読取対象Ｍで反射した光源素子１ａ光と読取対象Ｍを透過した光源素子１ｂからの光は、結像光学系３によってセンサＩＣ４に収束される。センサＩＣ４は収束された光を受光し、光電変換して電気信号を出力する半導体チップなどで構成された受光部（受光素子）であり、その他の駆動回路などを搭載している。受光部ではタイミングジェネレータのシステムクロック（ＳＣＬＫ）に同期して、ＣＩＳのクロック信号（ＣＬＫ）と同期したスタート信号（ＳＩ）のタイミングでもって光電変換されたアナログ出力（ＳＯ）を得る。ＳＯは、図１０（ｂ）（図１０内の左下）に一例をグラフで示している。このグラフは、縦軸が出力値で、横軸が時間（ｔ；Ｔｉｍｅ）である。
【００３５】
図１０（ａ）では、前述の通り、信号処理ＩＣ１１内のＣＰＵ１２ａ、ＲＡＭ１２ｂ及び信号処理回路１２ｃをまとめて信号処理部１２としている。ＳＯは、Ａ／Ｄ変換回路１３でアナログデジタル（Ａ／Ｄ）変換され、信号処理回路１２ｃでは、サンプル・ホールドを含むシェーディング補正や全ビット補正などが行われる。信号データの補正には、信号データを記憶したＲＡＭ領域と基準データを記憶したＲＡＭ領域からデータを採取し、演算加工の後、デジタル出力（ＳＩＧ）として読取対象Ｍの画像データを出力する。この画像データは、画像読取装置１０の外部の装置に送出してもよいし、画像読取装置１０の内部でさらに画像処理を施した後に、外部の装置に送出してもよい。ＳＩＧは、図１０（ｃ）（図１０内の右下）に一例をグラフで示している（２５６ｄｉｇｉｔ）。このグラフは、縦軸が出力値で、横軸が時間（１ライン区間）である。これは、画像読取装置１０がラインセンサであるためである。つまり、画像読取装置１０は主走査方向の１ラインごとに読取対象Ｍを読み取り、読取対象Ｍが副走査方向に搬送されることにより、次のラインを読み取るものである。
【００３６】
次に、実施の形態１に係る画像読取装置の動作のうち、光源素子１ａが発生する照明光が、透明体２（導光体２）内へ入射し、透過または反射を繰り返しながら読取対象Ｍへ照射される経路（光路）に関して、図１１を用いて説明を行う。図１１に記載の画像読取装置１０（断面図）は、図２に記載の画像読取装置１０と同じ構成のものであり、光源素子１からの照明光の経路の一部を示している。図１１を含む本発明の図面で、光の経路（光路）を説明しているものは、片側の光源１の主走査方向（Ｘ軸方向）の配列から光が入射する側の導光部２ａを例示的に示している。図面上では。左側の導光部２ａに光の経路（光路）を表示している。
【００３７】
光源素子１ａからの照明光の経路は、導光体２の導光部２ａにおいて、結像光学系３側の内側の面（以下、「導光部２ａの内側面」と称する）と、この内側の面に対して反対側の面である外側の面（以下、「導光部２ａの外側面」と称する）とで２回以上反射して読取対象Ｍを照明するものや主走査方向（Ｘ軸方向）に進行するものも存在する。しかし、主な経路としては、図１１に示すように、前述の導光部２ａの内側面及び外側面で２回以上反射して読取対象Ｍを照明しない経路である第１経路１３ａと第２経路１３ｂで読取対象Ｍの照明が行われている。第１経路１３ａは、導光体２内を導光部２ａで反射することなく、進行する透過光路である。図中では、実線で示している。第２経路１３ｂは、導光体２内を導光部２ａで一度反射して進行する反射光路である。図中では、点線で示している。
【００３８】
なお、透明体２（導光体２）は、透明体２（導光体２）の主走査方向（Ｘ軸方向）の両端面，導光部２ａの内側面及び外側面，読取対象搬送側面２ｂ，読取対象搬送側面２ｂと結像光学系３の光軸方向（Ｚ軸方向）に対向する面であって、読取対象Ｍから反射光が読取対象搬送側面２ｂを透過して、透明体２（導光体２）から結像光学系３へ出射する面から構成されている。この透明体２（導光体２）から結像光学系３へ出射する面は、導光部２ａの内側面の一部ともいえる。
【００３９】
図１１に示す第１経路１３ａは、光源素子１ａから発光した光が、透明体２の入射面を透過し、導光部２ａを進行して読取対象搬送側面２ｂを透過（読取対象搬送側面２ｂから出射）して、そのまま読取対象Ｍに到達する経路である。図１１に示す第２経路１３ｂは、光源素子１ａから読取対象Ｍに垂直な方向に放射された光が、透明体２の導光部２ａの外側面で１回反射し、導光部２ａを進行して読取対象搬送側面２ｂを透過（読取対象搬送側面２ｂから出射）して、読取対象Ｍに到達する経路である。導光部２ａの外側面で反射する際、全反射させると反射のロスが最も少なく、高効率で照明が行える。また、前述の通り、導光部２ａ内で複数回反射を繰り返して読取対象Ｍに到達する経路も存在する。よって、第１経路１３ａ及び第２経路１３ｂだけでなく、透明体２に入射した光は、全て全反射で読取対象Ｍまで導かれるように設計すると効率よく照明が行える。
【００４０】
図１１に示す第２経路１３ｂを含む透明体２に入射したすべての角度の光が透明体２内の導光部２ａで全反射する条件は、透明体２の屈折率をｎ、透明体２の導光部２ａの傾きをθとすると、以下の数式（１）を満たしている必要がある。なお、θは、図１１に示すように、Ｚ軸方向に平行な線と導光部２ａの外側面とが交差してできるＹＺ平面における二つの角度のうち、狭角の方の角度である。また、第１経路１３ａを含む「導光部２ａを進行して読取対象搬送側面２ｂを透過（読取対象搬送側面２ｂから出射）して、そのまま読取対象Ｍに到達する経路」は、数式（１）を満たす必要はない。第１経路１３ａを含むと説明する理由は、第２経路１３ｂがＹＺ平面に沿って進行する経路のみを示しているためである。
【００４１】
【数１】
2015231163.tif 000003
【００４２】
ここで、数式（１）において、ｎ＝１．５とすると、θ≦７．４度となる。よって、導光部２ａの傾きθは、数式（１）を満たしているように傾きを７．４度以下に設定することが望ましい。実施の形態１では、読取対象Ｍからの反射光が透過する部分を除く、導光部２ａの内側面から導光部２ａの外側面までのＹ軸方向における透明体２（導光体２）の厚みを一定としている。そのため、導光部２ａの面で全反射した光は同じ角度で導光部２ａの別の面に入射し、全反射で透明体２内を伝播され続ける。なお、実施の形態１では、前述のように、透明体２の導光部２ａは読取対象Ｍからの反射光が透過する部分を除く、Ｙ軸方向の厚みを一定としているが、導光部２ａ内での全反射を促すために読取対象Ｍに近くなるほど、Ｙ軸方向の厚みを太くしていってもよい。
【００４３】
実施の形態１に係る画像読取装置は、光源素子１ａからの光を読取対象Ｍまで全反射で光を導く構成としている。そのため、数式（１）により、透明体２の屈折率ｎによる変化はあるが、導光部２ａの傾きθの値が小さいものを選択することになる。しかし、導光部２ａの傾きθの値が小さすぎると、光源素子１から発光された光の主な経路のうち、第１経路１３ａの経路が結像光学系３と交差してしまい、導光部２ａの内側面及び外側面で２回以上反射する経路となってしまう。そのため、第１経路１３ａを存在させるためには、結像光学系３を構成する複数のレンズの光軸と読取対象Ｍとが交差する点の並びを通る第１仮想線、及び、複数配列された光源素子１ａの配列を通る第２仮想線の二つの仮想線が通る仮想平面が通る仮想平面を外して結像光学系３を配置すればよい。仮想平面は、ＹＺ平面と直交する平面であり、仮想平面とＹＺ平面とが交差した線のうち、透明体２（導光体２）の内に収まっているものが第１経路１３ａとなる。また、第１仮想線及び第２仮想線は、主走査方向（Ｘ軸方向）と平行な仮想線となる。なお、厳密には、複数配列された光源素子１ａの配列を通る第２仮想線は、光源素子１ａが光を発光している部分を通るものとする。
【００４４】
また、透過照明用の基板６ｄに実装された光源素子１ｂからの光１３ｇは透明体２の導光部２ｑを透過して読取対象Ｍへ照射される。この際、光源素子１ｂの光軸は透明体２の導光部２ｑの光入射面に対して垂直に設置できるため、光源素子１ａの光路のように全反射条件を気にする必要はない。図１１では導光部２ｑの読取対象Ｍ側の面を平面としているが図２(ｂ)のように導光部２ｑの読取対象Ｍ側に曲率を与えると光が集光されより明るい照明が行える。
【００４５】
実施の形態２．
本発明に係る実施の形態２に関して、図１２及び図１３を用いて説明する。図１２は、実施の形態２に係る画像読取装置の断面図である。図１２は、Ｙ軸とＺ軸とで規定されるＹＺ平面と平行な平面での画像読取装置１０の断面図である。詳しくは、主走査方向（Ｘ軸方向）に複数並べられた光源素子１の一つと交差する部分の断面図である。厳密には、二列並んだ複数の光源素子１ａが副走査方向（Ｙ軸方向）に対向して配置された場合を示しているので、図１２では、センサＩＣ４を挟んで、二つの光源素子１ａが見える状態である。なお、本発明の実施の形態では、「二列並んだ複数の光源素子１ａ」を「二列並んだ光源アレイ」や「光源アレイが二列ある」と表現する場合がある。図１２において、実施の形態１の説明に用いた図１１と同一又は同等の構成要素には同一符号を付しその説明を省略する。
【００４６】
図１２に記載の画像読取装置１０（断面図）は、光源素子１ａからの照明光の経路の一部を示している。図１１で示した画像読取装置１０と同じく、主な経路としては、図１２に示すように、前述の導光部２ａの内側面及び外側面で２回以上反射して読取対象Ｍを照明しない経路である第１経路１３ａと第２経路１３ｂで読取対象Ｍの照明が行われている。実施の形態２に係る画像読取装置では、実施の形態１に係る画像読取装置の透明体２（導光体２）の導光部２ａの外側面をミラー面１４とした場合である。図１２において、透明体２（導光体２）のミラー面１４は、透明体２の外形を線が太くなっている部分である。ミラー面１４は、金属蒸着や金属メッキなどを行ったり、金属テープを設置したりすることで、導光部２ａの外側面に形成することが可能である。ミラー面１４は、光源素子１ａが発光した照射光のうち、Ｚ軸方向へ進行する照明光が導光体２に当たる部分に形成されている。換言すると、ミラー面１４は、光源素子１ａが光を発光している部分を通るＺ軸と平行な仮想線と導光体２とが交差している部分に形成されているといえる。
【００４７】
前述の通り、実施の形態１に係る画像読取装置では、読取対象Ｍまで全反射で光を導く構成としている。そのため、数式（１）により、透明体２の屈折率ｎによる変化はあるが、導光部２ａの傾きθの値が小さいものになる傾向がある。導光部２ａの傾きθが小さくなればなるほど、光源素子１ａとセンサＩＣ４との距離が短くなる。よって、光源素子１ａのパッケージが大きいとセンサＩＣ４などに接触してしまう配置しか選択できない場合が生じる。もちろん、遮光部材５の配置場所もなくなってしまう。このような場合は、光源素子１ａとセンサＩＣ４とが干渉しないように基板６上にセンサＩＣ４に実装する、つまり、導光部２ａの傾きθを数式（１）で得られるものよりも大きくしてしまうことになり、透明体２の導光部２ａに入射した光は全反射条件を満たすことができない。全反射条件を満たせないので、光が透明体２より漏れてしまい効率が大きく低下する。 そこで、実施の形態２に係る画像読取装置では、導光部２ａの傾きθに関わらず、透明体２から光が漏れることを防ぐために、透明体２（導光体２）の導光部２ａの外側面にミラー面１４を形成したものである。
【００４８】
図１２に示すミラー面１４を有する画像読取装置１０でも、実施の形態１と同様に第１経路１３ａと第２経路１３ｂとで読取対象Ｍへ主な照明が行われる。なお、導光部２ａの外側面をミラー面１４としているため、ミラー面１４に入射した光は、必然的に正反射となる。そのため、ミラー面１４を有する画像読取装置１０は、導光部２ａ内を全反射で読取対象搬送側面２ｂまで伝播するための実施の形態１で説明した数式（１）の条件を満たす必要はない。導光部２ａによって導光された光は、透明体２（導光体２）の読取対象搬送側面２ｂから照明光として射出（出射）されることになる。そのためには、透明体２（導光体２）内において、導光部２ａから読取対象搬送側面２ｂへ入射した光が、読取対象搬送側面２ｂで全反射にならない角度で、導光部２ａから読取対象搬送側面２ｂに入射する必要がある。このような第２経路１３ｂの反射の様子を明示したものが図１３である。
【００４９】
図１３は、実施の形態２に係る画像読取装置の断面図である。図１３は、図１２と同様にＹ軸とＺ軸とで規定されるＹＺ平面と平行な平面での画像読取装置１０の断面図である。詳しくは、主走査方向（Ｘ軸方向）に複数並べられた光源素子１ａの一つと交差する部分の断面図である。厳密には、二列並んだ複数の光源素子１ａが副走査方向（Ｙ軸方向）に対向して配置された場合を示しているので、図１３では、センサＩＣ４を挟んで、二つの光源素子１ａが見える状態である。図１３において、図１２及び実施の形態１の説明に用いた図１１と同一又は同等の構成要素には同一符号を付しその説明を省略する。
【００５０】
図１３に示す画像読取装置では、光源素子１ａからＺ軸に対して平行に出射された第２経路１３ｂは導光部２ａのミラー面１４で反射されＸＹ平面と平行な透明体２（導光体２）の読取対象搬送側面２ｂに到達する。このときの入射角度は、前述の導光部２ａの傾きθで決まる。ここでは、実施の形態１と区別するために、導光部２ａの傾きθを「θ２」とするが定義は同じとする。なお、図１３に図示するように、ミラー面１４で反射された光とＺ軸とが交差する角度、つまり、ミラー面１４で全反射された光の読取対象搬送側面２ｂへの入射角度は、２θ２となる。ミラー面１４で反射された光が、読取対象搬送側面２ｂで全反射が発生しない条件は、以下の数式（２）の通りである。なお、入射角度２θ２は、読取対象搬送側面２ｂ上で、Ｚ軸方向に平行な仮想線とミラー面１４が全反射した照明光とが交差する角度である。
【００５１】
【数２】
2015231163.tif 000004
【００５２】
前述の通り、透明体２の導光部２ａの傾きを角度θ２とし、透明体２の屈折率をｎ＝１．５とすると、θ２は以下の数式（３）を満たしている必要がある。
【００５３】
【数３】
2015231163.tif 000005
【００５４】
なお、第１経路１３ａの読取対象搬送側面２ｂへの入射角度は、第２経路１３ｂよりも小さくなるため、導光部２ａの傾き（角度）θ２が、式（２）を満たしていれば、第１経路１３ａも全反射とはならない。また、実施の形態１で説明した数式（１）の条件は、数式（２）内に含まれるため、実施の形態１に係る画像読取装置における導光部２ａの第１経路１３ａ及び第２経路１３ｂが、読取対象搬送側面２ｂに入射したときに全反射とはならない。
【００５５】
よって、実施の形態２に係る画像読取装置のような構成をとれば、光源素子１ａのパッケージサイズが大きく、実施の形態１の説明で使用した数式（１）の条件を満たせない場合でも、第１経路１３ａと第２経路１３ｂを確保することで明るい照明を行うことができる。また、ミラー面１４を設けることで、透明体２の外部から入射してくる光に対しての遮光効果も期待できる。なお、実施の形態２では導光部２ａの外側面のみをミラー面１４としているが、結像光学系３側である導光部２ａの内側面（「読取対象搬送側面２ｂと結像光学系３の光軸方向（Ｚ軸方向）に対向する面であって、読取対象Ｍから反射光が読取対象搬送側面２ｂを透過して、透明体２（導光体２）から結像光学系３へ出射する面」を除く）にもミラー面１４を形成してもよい。
【００５６】
図示は省略するが、実施の形態２に係る画像読取装置においても、実施の形態１に係る画像読取装置の固定部（係合部２ｃ，係合部２ｄ，突起部２ｅ，突起部２ｆ，係合部２ｇ）を透明体２（導光体２）に形成して、透明体２（導光体２）と基板６とを接続することができる。詳細説明は、実施の形態１で行ったものと同様である。つまり、ミラー面１４を施した実施の形態１に係る画像読取装置が、実施の形態２に係る画像読取装置といえる。
【００５７】
実施の形態３．
本発明に係る実施の形態３に関して、図１４〜図２１を用いて説明する。図１４，図１５（ａ），図１６，図１７（ａ），図１８，図１９（ａ），図２０，図２１（ａ）は、実施の形態３に係る画像読取装置の断面図である。図１４，図１５（ａ），図１６，図１７（ａ），図１８，図１９（ａ），図２０，図２１（ａ）は、Ｙ軸とＺ軸とで規定されるＹＺ平面と平行な平面での画像読取装置１０の断面図である。詳しくは、主走査方向（Ｘ軸方向）に複数並べられた光源素子１の一つと交差する部分の断面図である。図１４，図１６，図１８，図２０は、係合部２ｃ，係合部２ｄ，突起部２ｅ，突起部２ｆ，係合部２ｇなどの固定部がない部分の断面図である。図１５（ａ），図１７（ａ），図１９（ａ），図２１（ａ）は、固定部として係合部２ｃを図示したものである。図中、同一又は同等の構成要素には同一符号を付しその説明を省略する。
【００５８】
また、図１５（ｂ），図１７（ｂ），図１９（ｂ），図２１（ｂ）は、それぞれ図１５（ａ），図１７（ａ），図１９（ａ），図２１（ａ）に記載の画像読取装置１０の斜視図である。図１５，図１７，図１９，図２１では、八つの固定部（係合部２ｃ）が、主走査方向の片側に四箇所ずつ形成されており、固定部（係合部２ｃ）がない部分でも透明体２が、遮光部材５（遮光部５）と接触している。一方、図１４，図１６，図１８，図２０では、固定部がない部分では透明体２が、遮光部材５（遮光部５）と接触していない。なお、図面上は、透明体２と固定部とが一体である場合を示しているが、別体でもよい。図中、同一又は同等の構成要素には同一符号を付しその説明を省略する。
【００５９】
図１４，図１５（ａ），図１６，図１７（ａ），図１８，図１９（ａ），図２０，図２１（ａ）には、実施の形態３に係る画像読取装置の光路（光の経路）を示している。実施の形態３に係る画像読取装置は、実施の形態１及び２に係る画像読取装置において、光源アレイが二列あったものが、一列になったものである。そのため、図１４〜図２１に示すように、実施の形態３に係る画像読取装置の透明体２は、結像光学系３（レンズアレイ部３）及び遮光部材５（遮光部５）の主走査方向に沿った二つの側面のうちの片方を露出させる形状（図１４，図１６，図１８，図２０に記載）、又は、結像光学系３（レンズアレイ部３）の主走査方向に沿った二つの側面のうちの片方を露出させる形状（図１５，図１７，図１９，図２１に記載）である。
【００６０】
実施の形態３においても、係合部２ｃを主走査方向に長い１つの突起としてもよいが、突起の剛性が上がり、うまく基板６を抱えこめない場合は、図１５，図１７，図１９，図２１に図示に示すように、主走査方向の数箇所に分けて形成してもよい。なお、図１４及び図１５において、結像光学系３（レンズアレイ部３）が露出している部分は、結像光学系３（レンズアレイ部３）のアレイ状に配列したレンズアレイを挟む板材となる。
【００６１】
実施の形態３に係る画像読取装置は、光源素子１ａを内蔵し、光源素子１ａが配列された光源アレイが一列となっている。そのため、実施の形態１及び２において説明した第１経路１３ａ及び第２経路１３ｂを主とする照明光を読取対象Ｍへ照射すると、副走査方向（Ｙ軸方向）の片側からのみの照明光による結像光学系３の読取位置への照射（照明）となる。読取対象Ｍが、平面であれば副走査方向（Ｙ軸方向）の片側からの照明光による結像光学系３の読取位置への照射でもよいが、読取対象Ｍに凹凸がある場合、片側からの照明だけであると、凹凸によって読取対象Ｍの上に影が発生し読取画像（画像データ）に影が映りこむ場合がある。例えば、読取対象Ｍが紙幣や証券である場合、画像読取装置１０（信号処理回路１２ｃ）が出力する読取対象Ｍの画像データを、紙幣や証券の真贋判定に使用するため、凹凸によって画像データごと、換言すると、紙幣（証券）ごとに不規則に生じる影が、紙幣や証券の真贋判定に悪影響を及ぼす可能性がある。
【００６２】
副走査方向（Ｙ軸方向）の片側からのみの照明光の照射が、画像読取装置１０の用途として不都合な場合は、図１４に示す画像読取装置１０のミラー面１４，ミラー面１４ａ，ミラー面１４ｂを有する導光体２の構造により、副走査方向（Ｙ軸方向）の両側からの照明光の照射を行えばよい。例えば、図１４に示す画像読取装置１０の場合を説明する。図１４に示すように第２経路１３ｃ（図中では、点線で示している）を進行する照明光をミラー面１４，読取対象搬送側面２ｂ，ミラー面１４ａ，ミラー面１４ｂの順でそれぞれ反射させ、つまり、複数回反射させて、結像光学系３の読取位置を挟んで、第１経路１３ａと第２経路１３ｃとを進行するそれぞれ照明光が、読取対象搬送側面２ｂから出射して、副走査方向に対して、互いに逆方向から照明光を照射するものである。
【００６３】
実施の形態３に係る画像読取装置の透明体２（導光体２）の導光部２ａの外側面に「ミラー面１４，ミラー面１４ａ，ミラー面１４ｂ」「ミラー面１４，ミラー面１４ｃ」「ミラー面１４ｄ，ミラー面１４ａ，ミラー面１４ｂ」が形成されている。ミラー面１４ａ，ミラー面１４ｂ，ミラー面１４ｃ，ミラー面１４ｄは、ミラー面１４と同じく、金属蒸着や金属メッキなどを行ったり、金属テープを設置したりすることで、導光部２ａの外側面に形成することが可能である。ミラー面１４は、実施の形態２と同じく、ミラー面１４は、光源素子１ａが光を発光している部分を通るＺ軸と平行な仮想線と導光体２とが交差している部分に形成されているといえる。ミラー面１４ｄは、実施の形態２と同じく、ミラー面１４は、光源素子１ａが光を発光している部分を通るＺ軸と平行な仮想線と導光体２とが交差している部分に形成されているものを含む、光源素子１ａが発光している光の光軸と導光体２とが交差している部分に形成されているといえる。
【００６４】
図１４及び図１５（ａ）において、透明体２（導光体２）のミラー面１４，ミラー面１４ａ，ミラー面１４ｂは、透明体２の外形を線が太くなっている部分である。図１４に示すような副走査方向（Ｙ軸方向）の両側から照明光による結像光学系３の読取位置への照射（照明）に関して、第１経路１３ａ及び第２経路１３ｃ並びに実施の形態２で説明した第２経路１３ｂを用いて詳細な説明を行う。まず、実施の形態２では、第２経路１３ｂの照明光は、数式（２）（透明体２の屈折率が１．５の場合は数式（３））で規定された読取対象搬送側面２ｂで全反射が発生しない条件で設定された導光体２の傾きθ（θ２）を有する導光体２のミラー面１４で反射することで、読取対象搬送側面２ｂから出射するものであった。一方、図１４に示す画像読取装置１０の光源と対向している位置のミラー面１４は、実施の形態２とは逆に、光源素子からの照明光を反射したものが、読取対象搬送側面２ｂで全反射する角度に設定されていなければならない。つまり、ミラー面１４が形成される導光体２（導光部２ａ）の傾きθ（θ２）には、数式（２）（透明体２の屈折率が１．５の場合は数式（３））で規定された条件と不等号が逆の条件が求められることになる。
【００６５】
この読取対象搬送側面２ｂで全反射された照明光は、ミラー面１４ａで全反射され、さらに、ミラー面１４ｂで全反射されて、読取対象搬送側面２ｂから出射して、読取対象Ｍに照射される。ミラー面１４ａは、副走査方向（Ｙ軸方向）でミラー面１４と対向した位置に配置され、ミラー面１４によって全反射された照明光が、さらに読取対象搬送側面２ｂで反射された照明光を読取対象Ｍとは反対方向に全反射させるものである。ミラー面１４ｂは、ＸＹ平面と平行な導光体２（導光部２ａ）の面であり、ミラー面１４ａと連続しているものである。ミラー面１４ｂで全反射されて、読取対象搬送側面２ｂへ進行する照明光の読取対象搬送側面２ｂへの入射角度は、実施の形態１及び２で説明した第１経路１３ａの入射角度２θ（２θ２）と同じ条件になるように、ミラー面１４ａ及びミラー面１４ｂを調整すれば（要すれば、ミラー面１４も調整が必要）、第２経路１３ｃの照明光がミラー面１４ｂで反射したあと、読取対象搬送側面２ｂに入射したときに全反射とはならない。このミラー面１４ａ及びミラー面１４ｂの調整よっては、ミラー面１４ｂがＸＹ平面と平行にならない場合もある。なお、ここでの入射角度２θ２は、読取対象搬送側面２ｂ上で、Ｚ軸方向に平行な仮想線とミラー面１４ｂが全反射した照明光とが交差する角度である。
【００６６】
次に、図１４に示すように第１経路１３ａを進行する照明光は、実施の形態１及び２と同様に透明体２（導光体２）に入射した光がそのまま透過して読取対象Ｍを照明する経路である。それに対して、前述の第２経路１３ｃは透明体２（導光体２）に入射したあと、導光部２ａの外側のミラー面１４で反射され、透明体２の読取対象搬送側面２ｂで全反射し、結像光学系３の光軸を挟んで透明体２（導光体２）の逆側に設置された複数のミラー面１４ａ及びミラー面１４ｂで反射され、読取対象Ｍを照明する。なお、実施の形態３においても、実施の形態１及び２と同様、第１経路１３ａを存在させるためには、結像光学系３を構成する複数のレンズの光軸と読取対象Ｍとが交差する点の並びを通る第１仮想線、及び、複数配列された光源素子１の配列を通る第２仮想線の二つの仮想線が通る仮想平面が通る仮想平面を外して結像光学系３を配置すればよい。この仮想平面とＹＺ平面とが交差してできる仮想線が第１経路１３ａに相当する。
【００６７】
図１５（ａ）及び図１５（ｂ）は、透明体２の基板側に数箇所、基板固定用の返しがついた突起、つまり、実施の形態１で説明したものと同様の係合部２ｃ（固定部）を設けた場合である。もちろん、必ずしも副走査方向において光源素子１と係合部２ｃとを対面させる必要はない。具体的には、図１５（ａ）及び図１５（ｂ）では、八つの固定部が、主走査方向の片側に四箇所ずつ形成されたものを図示している。透明体２は、結像光学系３の主走査方向に沿った二つの側面のうちの片方を露出させているが、結像光学系３が露出した部分のＺ軸方向の下方である遮光部材５を覆っている部分に、係合部２ｃ（固定部）を主走査方向（Ｘ軸方向）に四つ並べて設けたものを図示している。もちろん、係合部２ｃ（固定部）は、結像光学系３及び遮光部材５の主走査方向に沿った二つの側面のうちの片方を露出させる形状の透明体２において、結像光学系３及び遮光部材５が露出した部分のＺ軸方向の下方に部分に形成してもよい。この場合、遮光部材５の一部は、透明体２に覆われていてもよい。さらに、この遮光部材５の一部を覆っている透明体２の部分に、係合部２ｃ（固定部）を形成してもよい。固定部は、係合部２ｃに加え、実施の形態１で説明したものが適用することができる。
【００６８】
図１４及び図１５に記載の画像読取装置１０は、ミラー面１４が全反射した光源素子１ａからの照明光を読取対象搬送側面２ｂ，ミラー面１４ａ，ミラー面１４ｂの順に全反射させて読取対象搬送側面２ｂから出射するものであった。実施の形態３に係る画像読取装置は、図１６及び図１７に記載の画像読取装置１０のように、照明光をミラー面１４，ミラー面１４ｃの二面で全反射させて読取対象搬送側面２ｂから出射するものでもよい。読取対象搬送側面２ｂから出射された照明光は、読取対象Ｍに照射される。
【００６９】
図１６及び図１７に示すように、ミラー面１４ｃは、副走査方向（Ｙ軸方向）でミラー面１４と対向した位置に配置され、ミラー面１４によって全反射された照明光を読取対象搬送側面２ｂに向けて全反射させるものである。この光の経路（光路）を第２経路１３ｄとする。図中では、点線で示している。図１４及び図１５に記載の画像読取装置１０は、導光部２ａ内で反射せずに、読取対象搬送側面２ｂに到達する光路である第１経路１３ａに加え、第２経路１３ｄを主な光路として備えている。ミラー面１４ｃで全反射されて、読取対象搬送側面２ｂへ進行する照明光の読取対象搬送側面２ｂへの入射角度は、実施の形態１及び２で説明した第１経路１３ａの入射角度２θ（２θ２）と同じ条件になるように、ミラー面１４ａ及びミラー面１４ｃを調整すれば、第２経路１３ｃの照明光がミラー面１４ｃで反射したあと、読取対象搬送側面２ｂに入射したときに全反射とはならない。このミラー面１４及びミラー面１４ｃの調整よっては、ミラー面１４ｃがＺＹ平面と平行になる場合もある。なお、ここでの入射角度２θ２は、読取対象搬送側面２ｂ上で、Ｚ軸方向に平行な仮想線とミラー面１４ｃが全反射した照明光とが交差する角度である。図１６及び図１７（ａ）において、透明体２（導光体２）のミラー面１４，ミラー面１４ｃは、透明体２の外形を線が太くなっている部分である。
【００７０】
図１７（ａ）及び図１７（ｂ）は、透明体２の基板側に数箇所、基板固定用の返しがついた突起、つまり、実施の形態１で説明したものと同様の係合部２ｃ（固定部）を設けた場合である。構成は、図１５（ａ）及び図１５（ｂ）に示すものと同様のため、詳細説明は省略する。もちろん、固定部は、係合部２ｃに加え、実施の形態１で説明したものが適用することができる。
【００７１】
図１６及び図１７（ａ）に示す画像読取装置１０は、光源素子１ａと逆側の方向に設置されたミラー面１４ｃが結像光学系３から見て読取対象Ｍに対して広がる角度である場合を示している。このような場合、読取対象Ｍへ照射された光は、読取対象Ｍからの反射光となっても、結像光学系３に蹴られ、センサＩＣ４では受光されない場合がある。これを避けるために、ミラー面１４ｃで全反射した光の読取対象搬送側面２ｂへの入射角度αを設定する必要がある。入射角度αは、読取対象搬送側面２ｂ上で、Ｚ軸方向に平行な仮想線とミラー面１４ｃが全反射した照明光とが交差する角度である。よって、入射角度αは、前述の全反射とならない入射角度（２θ２）の条件に加えて、読取対象Ｍからの反射光が結像光学系３に蹴られないようにする条件も満たす必要がある。光の入射角度αは、結像光学系３の幅Ｗと結像光学系３と読取対象Ｍの距離ｈで数式（４）のように決まる。なお、図１６及び図１７に記載の画像読取装置１０では、数式（４）は、読取対象Ｍが読取対象搬送側面２ｂの近傍を搬送される場合を想定している。
【００７２】
【数４】
2015231163.tif 000006
【００７３】
数式（４）において、Ｗ＝１ｍｍ、ｈ＝３ｍｍとするとα≧２６．６度となる。また、透明体２の読取対象搬送側面２ｂで全反射とならない入射角度αｍａｘは透明体２の屈折率ｎ＝１．５とするとαｍａｘ= ｓｉｎ−１（１／ｎ）＝４１．８度となる。よって、図１６及び図１７に記載の画像読取装置１０では、読取対象搬送側面２ｂ上で、Ｚ軸方向に平行な仮想線とミラー面１４ｃが全反射した照明光とが交差する角度である光の入射角度を２６．６度≦α（２θ２）＜４１．８度に設定することで、第２経路１３ｄによる十分な照明光を得ることができる。
【００７４】
よって、図１６及び図１７に記載の画像読取装置１０は、第１経路１３ａ及び第２経路１３ｄによって、副走査方向（Ｙ軸方向）の両側からの照明光の照射を行うことができる。つまり、結像光学系３の読取位置を挟んで、第１経路１３ａと第２経路１３ｄとを進行するそれぞれ照明光が、読取対象搬送側面２ｂから出射して、副走査方向に対して、互いに逆方向から照明光を照射することができる。
【００７５】
一方、前述の図１４及び図１５に記載の画像読取装置１０であれば、結像光学系３によって光路が蹴られることがないため、０度≦α（２θ２）＜４１．８度とより広い入射角度で光が利用できる。そのため、効率がよく、左右から光量バランスのよい照明を行うことが比較的容易である。また、図１４では光源素子１ａから読取対象Ｍに対して垂直に進む光に対して第２経路１３ｃが読取対象Ｍへ照射される経路のみである。しかし、図１８及び図１９のように、ミラー面１４に代えて、光源素子１ａから出射される光の角度に対して、それぞれの光が読取対象Ｍまで到達するように角度を調整した複数のミラー面１４ｄや曲面形状のミラー面ｄを設置してもよい。図１８及び図１９は、角度を調整した複数のミラー面１４ｄを示している。図１８及び図１９（ａ）において、透明体２（導光体２）のミラー面１４ｄ，ミラー面１４ａ，ミラー面１４ｂは、透明体２の外形を線が太くなっている部分である。
【００７６】
図１８及び図１９に記載の画像読取装置１０は、図１４及び図１５に記載の画像読取装置１０におけるミラー面１４を二つのミラー面１４ｄに置換したものに相当する。詳しくは、二つのミラー面１４ｄのうち、読取対象Ｍ寄りものは、ミラー面１４と同じ傾斜角度となっている（照明光の光路は第２経路１３ｃである）。そして、もう一つのミラー面１４ｄは、ミラー面１４相当のミラー面１４ｄと連続して導光部２ａに形成されており、傾斜角度も大きくなっている（照明光の光路を第２経路１３ｅとする。図中では、一点鎖線で示している）。このようにすることで、光源素子１ａが発光した照明光のうち、Ｚ軸方向に対して、導光部２ａの外側面側に傾斜した光軸を有するものも、全反射させて、効率よく、読取対象搬送側面２ｂへ送ることができる。このような二つのミラー面１４ｄ（平面）は、連続する円弧に置換してもよいし、この円弧に近似した三つ以上のミラー面１４ｄ（平面）を導光部２ａに形成してもよい。
【００７７】
図１９（ａ）及び図１９（ｂ）は、透明体２の基板側に数箇所、基板固定用の返しがついた突起、つまり、実施の形態１で説明したものと同様の係合部２ｃ（固定部）を設けた場合である。構成は、図１５（ａ）及び図１５（ｂ），図１７（ａ）及び図１７（ｂ）に示すものと同様のため、詳細説明は省略する。もちろん、固定部は、係合部２ｃに加え、実施の形態１で説明したものが適用することができる。
【００７８】
図１４及び図１５，図１８及び図１９に記載の画像読取装置１０は、読取対象搬送側面２ｂによる照明光の全反射を経て、読取対象搬送側面２ｂから出射される光路である第２経路１３ｃ又は第２経路１３ｅを有している。透明体２（導光体２）の読取対象搬送側面２ｂで全反射する光路を有している場合、読取対象Ｍが透明体２の読取対象搬送側面２ｂに密着すると全反射条件が崩れ、左右の光量バランス、つまり、副走査方向（Ｙ軸方向）の両側からの照明光の光量のバランスが崩れる可能性がある。このような場合、図２０及び図２１に記載の画像読取装置１０の構成によって、読取対象Ｍが透明体２に密着しても左右の光量バランスを保つことができる。
【００７９】
図２０及び図２１に記載の画像読取装置１０は、第１経路１３ａは、これまで説明してきたものと同様のものであるが、第２経路１３ｆが異なる。図２０に示すように第２経路１３ｆはミラー面１４で反射される光路であり、光源素子１ａから照射された照明光がミラー面１４でＸＹ平面に平行に近い角度で全反射される。このＸＹ平面に平行に近い角度で全反射された照明光は、結像光学系３を挟んで逆側に設置されたミラー面１４ａで全反射され、さらに、ミラー面１４ｂで全反射されて、読取対象搬送側面２ｂから出射して、読取対象Ｍに照射される。
【００８０】
図２０及び図２１に記載の画像読取装置１０のミラー面１４ａは、副走査方向（Ｙ軸方向）でミラー面１４と対向した位置に配置され、ミラー面１４によって全反射された照明光が、さらに読取対象搬送側面２ｂで反射された照明光を読取対象Ｍとは反対方向に全反射させるものである。ミラー面１４ｂは、読取対象搬送側面２ｂ側に傾斜した導光体２（導光部２ａ）の面であり、ミラー面１４ａと連続しているものである。ミラー面１４ｂで全反射されて、読取対象搬送側面２ｂへ進行する照明光の読取対象搬送側面２ｂへの入射角度は、実施の形態１及び２で説明した第１経路１３ａの入射角度２θ（２θ２）と同じ条件になるように、ミラー面１４ａ及びミラー面１４ｂを調整すれば（要すれば、ミラー面１４も調整が必要）、第２経路１３ｃの照明光がミラー面１４ｂで反射したあと、読取対象搬送側面２ｂに入射したときに全反射とはならない。このミラー面１４ａ及びミラー面１４ｂの調整よっては、ミラー面１４ｂがＸＹ平面と平行になる場合もある。
【００８１】
図２０及び図２１に記載の画像読取装置１０における第２経路１３ｆは読取対象搬送側面２ｂでの全反射がないため、読取対象Ｍが透明体２（導光体２）の読取対象搬送側面２ｂに密着しても照明光の経路に変化は発生しない。そのため、効率がよく、左右から光量バランスのよい照明を行うことが比較的容易である。また、図２０では光源素子１ａから読取対象Ｍに対して垂直に進む光に対して第２経路１３ｆが読取対象Ｍへ照射される経路のみである。しかし、図１８及び図１９のように、ミラー面１４に代えて、光源素子１ａから出射される光の角度に対して、それぞれの光が読取対象Ｍまで到達するように角度を調整した複数のミラー面１４ｄや曲面形状のミラー面ｄを設置してもよい。
【００８２】
図２１（ａ）及び図２１（ｂ）は、透明体２の基板側に数箇所、基板固定用の返しがついた突起、つまり、実施の形態１で説明したものと同様の係合部２ｃ（固定部）を設けた場合である。構成は、図１５（ａ）及び図１５（ｂ），図１７（ａ）及び図１７（ｂ），図１９（ａ）及び図１９（ｂ）に示すものと同様のため、詳細説明は省略する。もちろん、固定部は、係合部２ｃに加え、実施の形態１で説明したものが適用することができる。
尚、図１４〜図２１において、光源素子１ｂから照射される光の動作は、本発明の実施の形態１と同様である。
【００８３】
実施の形態３に係る画像読取装置は、読取対象Ｍにしわなどの凹凸があると原稿面に影が発生しにくい。また、光源素子１ａからの光を散乱させた後、導光体２から出射されない光を少なくすることが容易で、照明効率が高いものである。つまり、実施の形態３に係る画像読取装置は、凹凸のある読取対象Ｍであっても影が発生を抑え、簡単な構造で、読取対象Ｍに高効率な照明が行えるものである。
【００８４】
実施の形態４．
本発明に係る実施の形態４に関して、図２２及び図２３を用いて説明する。図２３は、実施の形態４に係る画像読取装置の斜視図、図２２は、図２３に記載の画像読取装置１０におけるＹ軸とＺ軸とで規定されるＹＺ平面（仮想平面）での断面図である。図中、同一又は同等の構成要素には同一符号を付しその説明を省略する。実施の形態１，２，３に係る画像読取装置は、光源素子１ａ、１ｂが、透明体２（導光体２）の読取対象Ｍに対して挟み込むように、遮光部材５に沿って主走査方向（Ｘ軸方向）に複数配列されたものを説明した。これは、光源素子１がアレイ状に主走査方向に配列されていることから、アレイ光源方式や光源アレイ方式（ＬＥＤアレイ方式）と呼ばれている。
【００８５】
一方、実施の形態４に係る画像読取装置は、光源素子１ａ、１ｂが、透明体２（導光体２）の主走査方向（Ｘ軸方向）の端部と対向して形成されるものである。この光源素子１の光軸は、概ねＸ軸方向に沿うようにすることで、光源素子１ａ、１ｂが発光した光は、透明体２（導光体２）に効率よく進行し、透明体２（導光体２）内で反射を繰り返して主走査方向（Ｘ軸方向）に導光される。これは、光源素子１ａ、１ｂが透明体２（導光体２）の主走査方向（Ｘ軸方向）の端部に配置されていることから、サイドライト方式と呼ばれている。
【００８６】
また、サイドライト方式が適用された実施の形態４に係る画像読取装置は、透明体２（導光体２）内を導光される光を読取対象Ｍに照射するための構造である反射領域１５ａ、１５ｂが、透明体２（導光体２）に形成されている。反射領域１５ａは、透明体２（導光体２）の読取対象Ｍに対向して一方の側（−Ｚ方向）の端部に、主走査方向（Ｘ軸方向）に沿って、光源素子１ａからの光を読取対象Ｍ側に反射するものであり、反射領域１５ｂは読取対象Ｍに対向して他方の側（＋Ｚ方向）に反射領域１５ａに向かい合うように配置され、光源素子１ｂからの光を読取対象Ｍ側に反射するものである。つまり、実施の形態１，２，３に係る画像読取装置の光源素子１ａ、１ｂそれぞれが、導光体２に入射する位置に相当する導光体２の位置に反射領域１５ａ、１５ｂが形成されているといえる。
【００８７】
ゆえに、反射領域１５ａが読取対象Ｍ側に反射させて導光体２を導光する光の経路は、実施の形態１，２，３に係る画像読取装置の光源素子１ａが発光した光の経路（第１経路１３ａ，第２経路１３ｂ，第２経路１３ｃ，第２経路１３ｄ，第２経路１３ｅ，第２経路１３ｆ）に相当する。また、反射領域１５ｂが読取対象Ｍ側に反射させて導光体２を導光する光の経路は、画像読取装置の光源素子１ｂが発光した光の経路１３ｇに相当する。よって、実施の形態４では、反射領域１５ａ、１５ｂが読取対象Ｍ側に反射させて導光体２を導光する光の経路（第１経路１３ａ，第２経路１３ｂ，第２経路１３ｃ，第２経路１３ｄ，第２経路１３ｅ，第２経路１３ｆ、光の経路１３ｇ）の説明は省略する。
【００８８】
図２２及び図２３において、前述の反射領域１５は、導光体２の側面に、主走査方向（Ｘ軸方向）にそって形成されるものである。反射領域１５は導光体２の側面に印刷されたもの（反射パターン１５）でもよいし、導光体２の側面に凹凸を形成したもの（反射プリズム１５）でよい。反射パターン１５及び反射プリズム１５は、読取対象Ｍへ照射する光を主走査方向で均一にするために、副走査方向（Ｙ軸方向）の幅の広狭を主走査方向（Ｘ軸方向）において変更してもよい。もちろん、副走査方向（Ｙ軸方向）の幅のゼロとしてもよい。つまり、反射パターン１５及び反射プリズム１５は、主走査方向（Ｘ軸方向）において不連続でもよい。なお、反射領域１５の作製にあたっては、反射パターン１５は、白色の塗料の設置することで作製することができる。反射プリズム１５は、エンボス加工や微細な構造物などを設置することで作製することができる。図中、同一又は同等の構成要素には同一符号を付しその説明を省略する。
【００８９】
前述の通り、実施の形態１，２，３では、光源素子１を主走査方向にならべたアレイ光源方式としてきたが、実施の形態４では、図２２及び図２３のように光源素子１を透明体２の主走査方向（Ｘ軸方向）の両端、又は、主走査方向（Ｘ軸方向）の片端に設置したサイドライト方式を採用した場合である。つまり、図２３は、透明体２の主走査方向（Ｘ軸方向）の片端側が見えない状態となっているので、見えない状態の主走査方向（Ｘ軸方向）の片端側にも、光源素子１が設けられている場合が、光源素子１が、透明体２の主走査方向（Ｘ軸方向）の両端に設置した場合といえる。また、光源素子１が、透明体２（導光体２）の主走査方向（Ｘ軸方向）の両方の端部又は片方の端部と対向させる光源素子１の数は、図２３では反射領域１５に対応するものごとに、片方の端部側に二つずつ配置したものを図示しているが、これに限るものではない。
【００９０】
サイドライト方式は、光源素子１からの光が透明体２（導光体２）の中へ入射し、透明体２（導光体２）と空気層の境界で全反射しながら主走査方向に伝播されていく。その際に、図２３の断面図である図２２のように透明体２（導光体２）の一部に作られた反射領域１５に光が入射すると光が散乱（反射）され、透明体２から出射される。よって、前述の通り、反射領域１５を新たな線状光源（アレイ光源，光源アレイ）とみなすことができる。そのため、実施の形態１，２，３に係る画像読取装置の構成を実施の形態４に係る画像読取装置（サイドライト方式）にも適用できる。
図２３において、光源素子１ａは導光部２ａに対向し、光源素子１ｂは導光部２ｑに対向しているので、光源素子１ａからの光は、導光部２ａに入射し、反射領域１５ａで反射され、光源素子１ｂからの光は、導光部２ｑに入射し、反射領域１５ｂで反射される。
【００９１】
例えば、第１経路１３aが必要な場合は、実施の形態１，２，３に係る画像読取装置の構成へ反射領域１５を適用するとよい。つまり、結像光学系３を、複数のレンズの光軸と読取対象Ｍとが交差する点の並びを通る、主走査方向（Ｘ軸方向）と平行な第１仮想線、及び、反射領域１５を通る、主走査方向と平行な第２仮想線の二つの仮想線が通る仮想平面を外して配置することになる。
【００９２】
サイドライト方式が適用された実施の形態４に係る画像読取装置は、実施の形態１，２，３に係る画像読取装置と比較して、透明体２の主走査方向の端部に設置する光源素子１の数を少なくすることができる。また、光源素子１の実装数を減らすことができるとともに、アレイ光源方式で光源素子１の実装数を減らした際に問題となる主走査方向の照度むらであるリップルも抑制できる利点がある。実施の形態４に係る画像読取装置の光源素子１の設置方法には制限はないが、後述する光源ホルダ３１などの透明体２の主走査方向（Ｘ軸方向）の端部に光源素子１を近接配置させることができ、光の漏れが少ないホルダを用いることで、光源素子１から透明体２へ照射される光が外部へ漏れることが抑えられるので、光源素子１を配置するだけの場合に比べて照明の効率がよくなる。
【００９３】
さらに、サイドライト方式が適用された実施の形態４に係る画像読取装置の光源素子１の配置は、アレイ光源方式が適用された実施の形態１，２，３に係る画像読取装置の光源素子１の配置に比べて、画像読取装置１０の外部に光源素子１を設けやすいものとなっている。もちろん、アレイ光源方式が適用された実施の形態１に係る画像読取装置やアレイ光源方式が適用された実施の形態３に係る画像読取装置において各ミラー面を形成していないものにおいても、アレイ光源を構成する複数の光源素子１からの光を透明体２内で導光させなければ、画像読取装置１０の外部に光源素子１を設けやすいものとなっている。
【００９４】
実施の形態５．
本発明に係る実施の形態５に関して、図２４〜図４５を用いて説明する。実施の形態５では、本発明に係る画像読取装置の構造の例について説明する。詳しくは、画像読取装置１０の透明体２（導光体２），固定部（係合部２ｃ，係合部２ｄ，突起部２ｅ，ネジ９，クリップ１６，クリップ１７，接着部材１８，弾性部材１９、楔部材２３），結像光学系３，遮光部材５（遮光部５），基板６などの構造を中心とした説明を行う。また、実施の形態５以降は、画像読取装置１０の遮光部材５が防塵部材７と別体となっているもので、説明を行う。実施の形態５に係る画像読取装置の構造は、実施の形態１〜４に係る画像読取装置の構造に適用可能である。また、実施の形態５以降の実施の形態では、画像読取装置１０の透明体２（導光体２）は、導光部２ａの外側面を円弧状にしたもので説明を行う。この導光部２ａの外側面を円弧状にしたものも、実施の形態１〜４に係る画像読取装置に適用することが可能である。
【００９５】
図２４は、実施の形態５に係る画像読取装置の斜視図である。図２５は、図２４に示すＹ軸とＺ軸とで規定されるＹＺ平面と平行な平面である仮想平面ＡＡ’での画像読取装置１０の断面図である。詳しくは、仮想平面ＡＡ’は、主走査方向（Ｘ軸方向）に複数並べられた係止部２ｃの一つと交差する部分の断面図である。なお、係止部２ｃは、結像光学系３を間に挟んで二列並べられているので、厳密には、仮想平面ＡＡ’は主走査方向（Ｘ軸方向）に複数並べられた係止部２ｃの二つと交差する断面といえる。もちろん、結像光学系３を間に挟んで二列並べられている係止部２ｃが千鳥配置であれば、仮想平面ＡＡ’は主走査方向（Ｘ軸方向）に複数並べられた係止部２ｃの一つと交差する断面といえる。この実施の形態５を含む本発明の実施の形態では、結像光学系３を間に挟んで二列並べられている係止部２ｃが千鳥配置ではなく、副走査方向（Ｙ軸方向）において対向している場合を例示的に用いて説明している。
【００９６】
図２６は、図２４に示すＹ軸とＺ軸とで規定されるＹＺ平面と平行な平面である仮想平面ＢＢ’での画像読取装置１０の断面図である。詳しくは、仮想平面ＢＢ’は、主走査方向（Ｘ軸方向）に複数並べられた光源素子１の一つと交差する部分の断面図である。光源素子１は、結像光学系３を間に挟んで二列並べられている千鳥配置であるので、仮想平面ＢＢ’は主走査方向（Ｘ軸方向）に複数並べられた光源素子１ａの一つと交差する断面となっている。図２７は、図２４，図２５，図２６に記載の画像読取装置の展開図（分解図（分解斜視図））である。この図２７の記載から、光源素子１ａが二列配列された光源素子１が千鳥配置であることが分かる。
【００９７】
図２４〜図２７において、図中、同一又は同等の構成要素には同一符号を付しその説明を省略する。図２４〜図２７において、係合部２ｃは、透明体２の読取対象Ｍと反対側の端部の両側にそれぞれ形成された鍔部２ｉから基板６側に延伸した固定部である。鍔部２ｉは、結像光学系３に対して、反対側に延在しているものである。なお、固定部は、透明体２の読取対象Ｍに対して反対側の端部から、センサＩＣ４に対して反対側に延在する鍔部２ｉと基板６とを固定するものであるともいえる。実施の形態１〜４において、係合部２ｃは、鍔部２ｉが微小なため、係合部２ｃの一部として取り扱うが、実施の形態５のように、別構成としてもよい。但し、構造としては、係合部２ｃ（固定部）と鍔部２ｉとは一体である方が強度面では優位である。図２７に記載の位置決め用穴６ｂの説明は、後述する図３１〜図３４に記載の画像読取装置１０の説明の際に行う。
【００９８】
図２４〜図２７において、防塵部材７は、遮光部材５と基板６との間に配置され、遮光部材５，結像光学系３のセンサＩＣ４側の面，基板６で囲われた空間である貫通穴部５ａと外部から隔離するものである。詳しくは、光源素子１ａが配置される基板６の部分からの異物や、画像読取装置１０の外部からの異物を、貫通穴部５ａに侵入することを防ぐ部材である。また、図２７の記載から防塵部材７は、センサＩＣ４の周囲を覆うように長方形状に基板６に設置されていることが分かる。つまり、画像読取装置１０のＹＺ平面と平行な断面では、防塵部材７は、センサＩＣ４を挟み込むように、二箇所に分断されて主走査方向（Ｘ軸方向）に配置されている。しかし、主走査方向（Ｘ軸方向）の端部に配置された受光素子よりも、主走査方向（Ｘ軸方向）の端部に配置された受光素子の隣に配置された受光素子に対して外側では、防塵部材７は、副走査方向（Ｙ軸方向）に配置されている。つまり、防塵部材７は、主走査方向（Ｘ軸方向）及び副走査方向（Ｙ軸方向）に延在する部分が接続されて、長方形状の形をなしている。
【００９９】
続いて、図２４〜図２７に記載の画像読取装置１０の詳細な説明を行う。図２５及び図２６の断面図に示されるように、画像読取装置１０の基板６には、センサＩＣ４が接着などで固定されている。センサＩＣ４の周囲には、ゴムや柔らかい樹脂などで形成された防塵部材７が基板６に固定され、防塵部材７の上には、樹脂や金属などの剛性のある材料で形成された遮光部材５（遮光部５）が載置されている。遮光部材５は、副走査方向に所定の長さを有し主走査方向及び副走査方向に直交する方向（Ｚ軸方向）に貫通し、主走査方向に延在する開口を有する貫通穴部５ａが形成されている。貫通穴部５ａは、結像光学系３が当接されている部位から、基板６に向かって、Ｚ軸方向に段差のある形状である段差部が内部に形成されている。段差部は、結像光学系３が、遮光部材５の貫通穴部５ａにはめ込まれている部位から、基板６に向かうにつれ、Ｙ軸方向の幅が広がる形状となっている。Ｙ軸方向の幅が最大となっている貫通穴部５ａの周縁部分と基板６との間に、防塵部材７が配置されている。基板６上に、防塵部材７、遮光部材５及び結像光学系３を、前述のように配置することにより、センサＩＣ４への異物の侵入を防いでいる。
【０１００】
図２５及び図２６の断面図に示されるように、透明体２は、内側に凹み部２Ｌを有する構造を成しており、この凹み部２Ｌに防塵部材７、遮光部材５及び結像光学系３が内蔵されている。そのため、凹み部２Ｌは、遮光部材５及び結像光学系３又は結像光学系３の収納部２Ｌともいえる。結像光学系３のセンサＩＣ４と反対側の端部は、透明体２の係合部２ｃ（固定部）が、基板６を抱え込むことで、基板６上の防塵部材７及び遮光部材５に支持される結像光学系３が押し上げられ、透明体２の凹み部２Ｌの最深部に接触している。図２５及び図２６に記載の画像読取装置１０では、透明体２の係合部２ｃ（固定部）が、基板６を抱え込むことで、基板６上の遮光部材５も透明体２の凹み部２Ｌに接触している。透明体２は、係合部２ｃにて基板６の外周に引っ掛かるように固定されており、このように透明体２が基板６に固定されることにより、防塵部材７、遮光部材５及び結像光学系３が押圧されるような形で基板６に固定されているともいえる。
【０１０１】
このように、図２７に示す展開図の状態から、まず、基板６上の防塵部材７が配置された部分に、遮光部材５と遮光部材５に当接した結像光学系３とを載置する。その後、透明体２の係合部２ｃを基板６の所定の位置に係合させることで、図２４に示す画像読取装置を得ることができる。なお、係合部２ｃを係合させる基板６の所定の位置として、基板６に窪みなどの係合部２ｃが覆いかぶさる部位を基板６に設けてもよい。図２４（図２５，図２６）に示す画像読取装置は、透明体２で押圧するようにして防塵部材７、遮光部材５及び結像光学系３を基板６に一体的に固定するので、簡単な構造で画像読取装置１０を得ることができる。
【０１０２】
このように、図２７に示す展開図の状態から、まず、基板６上の防塵部材７が配置された部分に、遮光部材５と遮光部材５に当接した結像光学系３とを載置する。その後、透明体２の係合部２ｃを基板６の所定の位置に係合させることで、図２４に示す画像読取装置を得ることができる。なお、係合部２ｃを係合させる基板６の所定の位置として、基板６に窪みなどの係合部２ｃが覆いかぶさる部位を基板６に設けてもよい。図２４（図２５，図２６）に示す画像読取装置は、透明体２で押圧するようにして防塵部材７、遮光部材５及び結像光学系３を基板６に一体的に固定するので、簡単な構造で画像読取装置１０を得ることができる。
【０１０３】
なお、図２８〜図３０に示すように、遮光部材５は、遮光部材５の穴５ｂに透明体２の突起２ｔを挿入して固定しても良い。図２８は、本発明の実施の形態５に係る画像読取装置の断面図であり、図２９は、本発明の実施の形態５に係る画像読取装置の基板６を除いた状態で裏面から見た斜視図であり、図３０は、図２９において基板６を装着した図である。このようにすることにより、遮光部材５が精度良く透明体２に固定されるので、結果、結像光学系３とセンサＩＣ４とが、精度良く位置決めされる。
【０１０４】
図３１は、実施の形態５に係る画像読取装置の斜視図である。図３２は、図２５に示すＹ軸とＺ軸とで規定されるＹＺ平面と平行な平面である仮想平面ＡＡ’での画像読取装置１０の断面図である。詳しくは、仮想平面ＡＡ’は、主走査方向（Ｘ軸方向）に複数並べられた係止部２ｃの一つと交差する部分の断面図である。なお、係止部２ｃは、結像光学系３を間に挟んで二列並べられているので、厳密には、仮想平面ＡＡ’は主走査方向（Ｘ軸方向）に複数並べられた係止部２ｃの二つと交差する断面といえる。もちろん、結像光学系３を間に挟んで二列並べられている係止部２ｃが千鳥配置であれば、仮想平面ＡＡ’は主走査方向（Ｘ軸方向）に複数並べられた係止部２ｃの一つと交差する断面といえる。
【０１０５】
図３３（ａ）は、図３１に示すＹ軸とＺ軸とで規定されるＹＺ平面と平行な平面である仮想平面ＢＢ’での画像読取装置１０の断面図である。詳しくは、仮想平面ＢＢ’は、後述する透明体２の突起部２ｅと交差する部分の断面図である。図３４は、図３１，図３２，図３３（ａ）に記載の画像読取装置の展開図（分解図（分解斜視図））である。この図３４の記載から、光源素子１ａが、結像光学系３を間に挟んで二列並べられている千鳥配置であることが分かる。
【０１０６】
図３１〜図３４において、図中、同一又は同等の構成要素には同一符号を付しその説明を省略する。図２４〜図２７において、係合部２ｄは、透明体２の読取対象Ｍと反対側の端部の両側にそれぞれ形成された鍔部２ｉから基板６側に延伸した透明体２の固定部である。突起部２ｅは、透明体２の読取対象Ｍと反対側の端部に形成された鍔部２ｉから基板６側に延伸したものである。突起部２ｅは、透明体２の読取対象Ｍと反対側の端部両側にそれぞれ形成してもよい。穴６ａは、係合部２ｄが係合されるもので、基板６を貫通して形成されたものである。位置決め用穴６ｂは突起部２ｅが挿入される位置決めのためのものである。
【０１０７】
また、穴６ａと突起部２ｅは図３３（ｂ）のように副走査方向に並べ配置してもよい。透明体２は内側に凹み部２Ｌを有する構造をしているため、副走査方向に広がるようにソリを持つ傾向がある。そこで、図３３（ｂ）のように突起部２ｅを副走査方向に並べる、基板６の穴６ａに挿入することで、基板６によって副走査方向のソリが矯正される。なお、図３３（ｂ）ではもっともソリが大きい主走査方向の中央部にのみ突起部２ｅを並べて配置しているが、主走査方向に数箇所突起部２ｅを並べて配置しても良い。なお、図８及び図９に示す固定方法でも同様に透明体２の副走査方向へのソリを矯正する効果がある。
【０１０８】
続いて、図３１〜図３４に記載の画像読取装置１０の詳細な説明を行う。図２５及び図２６の断面図に示されるように、画像読取装置１０の基板６には、図２４〜図２７に記載の画像読取装置１０と同じく、センサＩＣ４が接着などで固定され、基板６上に防塵部材７及び遮光部材５並びに結像光学系３が載置されている。基板６上に、防塵部材７、遮光部材５及び結像光学系３を、前述のように配置することにより、センサＩＣ４への異物の侵入を防いでいる。
【０１０９】
図３２及び図３３の断面図に示されるように、透明体２は、内側に凹み部２Ｌを有する構造を成しており、この凹み部２Ｌに防塵部材７、遮光部材５及び結像光学系３が内蔵されている。結像光学系３のセンサＩＣ４と反対側の端部は、透明体２の係合部２ｄ（固定部）が、基板６を抱え込むことで、基板６上の防塵部材７及び遮光部材５に支持される結像光学系３が押し上げられ、透明体２の凹み部２Ｌの最深部に接触している。図３２及び図３３に記載の画像読取装置１０では、基板６の穴６ａに挿入された透明体２の係合部２ｄ（固定部）が、穴６ａを介して基板６を抱え込むことで、基板６上の遮光部材５も透明体２の凹み部２Ｌに接触している。また、係合部２ｄ（固定部）による係合時に、透明体２の突起部２ｅが、基板６の位置決め用穴６ｂに挿入されるように配置されているので、透明体２と基板６との相互の位置関係における十分な位置精度を得ることができる。
【０１１０】
透明体２は、係合部２ｄにて基板６に、基板６の外周に設けられた穴６ａを通して基板６に引っ掛かるように固定されており、このように透明体２が基板６に固定されることにより、防塵部材７、遮光部材５及び結像光学系３が押圧されるような形で基板６に固定されているともいえる。また、前述の位置精度に関しては、基板６の穴６ａと係合部２ｄとの隙間による位置決めのずれを防止するため、基板６に開けられた位置決め用穴６ｂに透明体２の突起部２ｅを挿入して、確保している。
【０１１１】
このように、図３４に示す展開図の状態から、まず、基板６上の防塵部材７が配置された部分に、遮光部材５と遮光部材５に当接した結像光学系３とを載置する。その後、透明体２の係合部２ｄを基板６の穴６ａに係合させることで、図３１に示す画像読取装置を得ることができる。図３１（図３２，図３３）に示す画像読取装置は、透明体２で押圧するようにして防塵部材７、遮光部材５及び結像光学系３を基板６に一体的に固定するので、簡単な構造で画像読取装置１０を得ることができる。
【０１１２】
また、図３１〜図３４に記載の画像読取装置１０は、基板６における穴６ａを形成した部位をＹ軸方向に突出させている。また、図３３に示すように、透明体２の係合部２ｄ以外の、読取対象Ｍと反対側の端部の両側にそれぞれ形成された鍔部２ｉから基板６側に延伸した部位を有している。よって、透明体２と基板６とが係合している部位を除いて、鍔部２ｉから基板６側に延伸した部位が、基板６の側面を覆う構造となっている。図３１〜図３４に記載の画像読取装置１０のように、位置決め用穴６ｂと突起部２ｅとを、図２４〜図２７に記載の画像読取装置１０に適用して、透明体２と基板６との相互の位置関係における十分な位置精度を得ることができる。位置決め用穴６ｂは、図２７に記載しているが、突起部２ｅに関しては、図２４〜図２７における記載は省略する。
【０１１３】
図３５〜図４０は、画像読取装置１０の固定部及び主走査方向（Ｘ軸方向）に複数並べられた光源素子１ａの一つと交差する部分の断面図であり、前述の図２４に示すＹ軸とＺ軸とで規定されるＹＺ平面と平行な平面である仮想平面ＢＢ’に相当する位置の断面図である（固定部は除く）。光源素子１ａは、結像光学系３を間に挟んで二列並べられている千鳥配置であるので、仮想平面ＢＢ’は主走査方向（Ｘ軸方向）に複数並べられた光源素子１ａの一つと交差する断面となっている。図３５（ａ）は、穴６ａへ突起部２ｆ（固定部）を挿入した状態を示す図である。図３５（ｂ）は、穴６ａへ挿入した突起部２ｆ（固定部）の先端を基板６へ熱溶着した状態を示す図である。
【０１１４】
図３５において、図中、同一又は同等の構成要素には同一符号を付しその説明を省略する。図３５において、突起部２ｆは、透明体２の読取対象Ｍと反対側の端部の両側にそれぞれ形成された鍔部２ｉから基板６側に延伸した透明体２の固定部である。穴６ａは、突起部２ｆが挿入されるもので、基板６を貫通して形成されたものである。穴６ａに挿入された突起部６ｆの先端を熱溶着することで、基板６のセンサＩＣ４が形成された面と反対側の面と透明体２（突起部６ｆ）とが固定される。
【０１１５】
図２４〜図３５に記載の画像読取装置１０では、透明体２の係合部２ｃ又は係合部２ｄにより、基板６と透明体２とを固定した。図３５（ｂ）に示す画像読取装置１０を作製するには、図３５（ａ）に示すように、基板６の外周に設けられた穴部６ａに突起部２ｆを挿入する。そして、突起部２ｆの基板６からの突出部２ｆを熱で溶かすことにより、透明体２を基板６に固定すればよい。換言すれば、突起部２ｆは、熱で溶かされる前は、位置決め部として作用し、熱で溶かされた後は、固定部として作用するといえる。さらに、熱で溶かされる前に関して詳しく説明すれば、突起部２ｆは突起部２ｅに相当し、穴６ａは位置決め用穴６ｂに相当する。
【０１１６】
図３６において、図中、同一又は同等の構成要素には同一符号を付しその説明を省略する。図３６において、穴６ａは、固定部であるネジ９が挿入されるもので、基板６を貫通して形成されたものである。ネジ９は、穴６ａと鍔部２ｉのネジ穴２ｊとに挿入し、締結するものである。ネジ穴２ｊは、鍔部２ｉの読取対象Ｍ側から基板６側に亘って穿たれたものである。
【０１１７】
図３６に記載の画像読取装置１０では、透明体２の外周に鍔部２ｉを設け、鍔部２ｉにネジ穴２ｊを形成し、穴６ａを開けておいた基板６をネジ９でネジ止めして透明体２と基板６を固定する。よって、簡便な構造により、固定部（ネジ９）の形成位置や固定部（ネジ９）の数の選択などの設計の自由度が高い画像読取装置を得ることができる。
【０１１８】
図３７及び図３８において、図中、同一又は同等の構成要素には同一符号を付しその説明を省略する。図３７及び図３８において、クリップ１６は、鍔部２ｉと基板６とのＹ軸方向の端部を挟み込んで固定する固定部である。クリップ１７は、基板６のセンサＩＣ４が形成された面と反対側の面から、鍔部２ｉのＹ軸方向の両端部を挟み込んで固定する固定部である。クリップ１７は、二つのクリップ１６の基板６のセンサＩＣ４が形成された面と反対側の面の部分が連結されているともいえる。クリップ１７の、この部分を湾曲させて基板６に押し当てるようにしてもよい。詳しは、クリップ１７の湾曲させた湾曲部分の頂点部分を基板６に押し当てるようにする。この湾曲部分は、後述する弾性部材１９の湾曲部分と同様の形状となる。
【０１１９】
図３７及び図３８に記載の画像読取装置１０では、透明体２の外周に鍔部２ｉを設け、鍔部２ｉと基板６をクリップ１６（クリップ１７）で挟持して透明体２と基板６を固定する。よって、固定部（クリップ１６，クリップ１７）を透明体２及び基板６とは完全に別体とすることができ、固定部（クリップ１６，クリップ１７）の形成位置や固定部（クリップ１６，クリップ１７）の数の選択などの設計の自由度が高い画像読取装置を得ることができる。
【０１２０】
図３９において、図中、同一又は同等の構成要素には同一符号を付しその説明を省略する。図３９において、接着部材１８は、鍔部２ｉと基板６とのＹ軸方向の端部を接着剤又は接着テープなどで接着して固定する固定部である。接着部材１８は主走査方向（Ｘ軸方向）に沿って、透明体２と基板６とを全面的に接着してもよいし、透明体２と基板６とを間欠的に接着してもよい。
【０１２１】
図３９に記載の画像読取装置１０では、透明体２の外周に鍔部２ｉを設け、鍔部２ｉと基板６を接着部材１８で接着して透明体２と基板６を固定する。よって、固定部（接着部材１８）を透明体２及び基板６とは完全に別体とすることができ、固定部（接着部材１８）の形成位置の選択などの設計の自由度が高い画像読取装置を得ることができる。
【０１２２】
図４０において、図中、同一又は同等の構成要素には同一符号を付しその説明を省略する。図４０において、突起部２ｋは、収納部２Ｌと反対側の透明体２の表面に、主走査方向と交差する副走査方向の前後で、それぞれ形成されたものである。弾性部材１９（透明体固定用弾性体１９）は、基板６のセンサＩＣ４が形成された面と反対側の面側に屈曲した湾曲部分、この湾曲部分の両端にそれぞれ形成され、二つの突起部２ｋ（突起部２ｋの貫通穴又は穴）にそれぞれ係止された第１平坦部分及び第２平坦部分を有している。
【０１２３】
図４０に記載の画像読取装置１０では、透明体２の外周に貫通穴を有する突起部２ｋを設け、この突起部２ｋの貫通穴又は穴に弾性部材１９を引っ掛けて透明体２と基板６を固定する。詳しくは、弾性部材１９は、第１平坦部分及び第２平坦部分が、基板６を貫通して、又は、基板６を抱えて、基板６のセンサＩＣ４が形成された面と反対側の面との間に介在し、湾曲部分が基板６のセンサＩＣ４が形成された面と反対側の面に押し当てられて接触するものである。よって、簡便な構造ながら、固定部（弾性部材１９）によって、より確実に、透明体２と基板６とを固定することができる画像読取装置を得ることができる。
【０１２４】
図４０に記載の画像読取装置１０の構造を、実施の形態３に係る画像読取装置である適用する場合、つまり、結像光学系３及び遮光部材５の主走査方向（Ｘ軸方向）に沿った二つの側面のうちの片方、又は、結像光学系３の主走査方向（Ｘ軸方向）に沿った二つの側面のうちの片方を露出させる形状である画像読取装置１０に適用する場合を説明する。
【０１２５】
まず、図４０に記載の画像読取装置１０の構造を、実施の形態３に係る画像読取装置である適用する場合のうち、結像光学系３及び遮光部材５の主走査方向（Ｘ軸方向）に沿った二つの側面のうちの片方を露出させる形状であって、図４０に示すものと同様の突起部２ｋに相当する第２突起部が遮光部材５に設けられている場合を説明する。この場合の固定部は、収納部２Ｌと反対側の透明体２の表面に形成された第１突起部２ｋ（図４０に示す透明体２に形成された突起部２ｋそのもの）と、センサＩＣ４と反対側の遮光部材５の表面であって、透明体２から露出した遮光部材５の表面に形成された第２突起部とを有している。また、固定部は、図４０に示すものと同様の弾性部材１９を有している。つまり、弾性部材１９は、基板６の他方の面側に屈曲した湾曲部分、この湾曲部分の両端にそれぞれ形成され、第１突起部２ｋ及び第２突起部にそれぞれ係止された第１平坦部分及び第２平坦部分を有している。さらに、弾性部材は、第１平坦部分及び第２平坦部分が、基板６を貫通して、又は、基板６を抱えて、基板６の一方の面と基板６の他方の面との間に介在し、湾曲部分が基板６の他方の面に押し当てられて接触している。
【０１２６】
次に、図４０に記載の画像読取装置１０の構造を、実施の形態３に係る画像読取装置である適用する場合のうち、少なくとも、結像光学系３が露出した側の主走査方向（Ｘ軸方向）の側面における透明体２に、図４０に示すものと同様の突起部２ｋが設けられている場合を説明する。この場合は、固定部の構造も、当然、図４０に記載の画像読取装置１０と同様となる。相違点は、主走査方向（Ｘ軸方向）に沿った二つの側面のうちの片方で、少なくとも結像光学系３が露出している点である。つまり、結像光学系３とともに遮光部材５も露出していてもよい。換言すると、図４０に記載の画像読取装置１０の構造を、実施の形態３に係る画像読取装置である適用する場合で、かつ、結像光学系３とともに遮光部材５も露出させる場合は、遮光部材５に第２突起部を形成する場合と、透明体２のみに突起部２ｋを形成する場合とに分けられるといえる。
図４０に記載の画像読取装置１０では、透明体２の外周に貫通穴を有する突起部２ｋを設け、この突起部２ｋの貫通穴又は穴に弾性部材１９を引っ掛けて透明体２と基板６を固定する。詳しくは、弾性部材１９は、第１平坦部分及び第２平坦部分が、基板６を貫通して、又は、基板６を抱えて、基板６のセンサＩＣ４が形成された面と反対側の面との間に介在し、湾曲部分が基板６のセンサＩＣ４が形成された面と反対側の面に押し当てられて接触するものである。よって、簡便な構造ながら、固定部（弾性部材１９）によって、より確実に、透明体２と基板６とを固定することができる画像読取装置を得ることができる。
【０１２７】
図４１〜４２において、図中、同一又は同等の構成要素には同一符号を付しその説明を省略する。図４２の展開図が図４１となっており、図４２の仮想ＡＡ’断面が図４３、仮想ＢＢ’断面が図４４、仮想ＣＣ’断面が図４５となっている。図４２において、鍔部２ｉには、基板６がかかる主走査方向に延在する溝が切られている。この溝は図４３〜４２に示す仮想ＡＡ’断面から仮想ＣＣ’断面へ向かうにつれて深度方向の高さが低くなり、最も低いところでは基板６と同等の厚みとなっている。収納部２Ｌへ結像光学系３と遮光部材５を挿入した後、鍔部２ｉの溝に沿って基板６を主走査方向にスライドさせて透明体２へ挿入する。そして、図４２のように透明体２と基板３２の間に楔部材３２を挿入して基板６を透明体２へ押し当てることで結像部材３、遮光部材５も透明体２へ押し当てる構造となっている。よって、簡便な構造ながら透明体２と基板６とを固定することができる組み直しが容易な画像読取装置を得ることができる。
【０１２８】
実施の形態６．
本発明に係る実施の形態６に関して、図４６〜図５２を用いて説明する。実施の形態６では、本発明に係る画像読取装置の結像光学系３の固定構造の変形例について説明する。実施の形態６に係る画像読取装置と他の実施の形態に係る画像読取装置との相違点は次のとおりである。透明体２（導光体２）は、透明な部材からなり、結像光学系３を収納部２Ｌに収納し、結像光学系３の読取対象Ｍ側の部分を収納部２Ｌに固定する、又は、結像光学系３と収納部２Ｌの一部とを接触させて結像光学系３を固定するものである。遮光部材５（遮光部５）は、結像光学系３におけるセンサＩＣ４側の部分を支持し、又は、結像光学系３におけるセンサＩＣ４側の部分と接触し、結像光学系３が収束した光以外を遮光し、透過体２に覆われたものである。よって、実施の形態６に係る画像読取装置と他の実施の形態に係る画像読取装置とは、相互に置換可能である。
【０１２９】
図４６〜図５２は、画像読取装置１０の固定部（係合部２ｃ）及び主走査方向（Ｘ軸方向）に複数並べられた光源素子１ａの一つと交差する部分の断面図であり、前述の図２４に示すＹ軸とＺ軸とで規定されるＹＺ平面と平行な平面である仮想平面ＢＢ’に相当する位置の断面図である（固定部（係合部２ｃ）は除く）。光源素子１ａは、結像光学系３を間に挟んで二列並べられている千鳥配置であるので、仮想平面ＢＢ’は主走査方向（Ｘ軸方向）に複数並べられた光源素子１の一つと交差する断面となっている。なお、図４５，図４６，図４７においては、遮光部材５と基板６との図示を省略している。換言すると、図４５，図４６，図４７に記載の透明体２は、基板６を固定（係合）する前の状態を示しているともいえる。
【０１３０】
図４６において、図中、同一又は同等の構成要素には同一符号を付しその説明を省略する。図４６において、遮光部材５は、基板６に載置された防塵部材７の上には、樹脂や金属などの剛性のある材料で形成されている。遮光部材５の貫通穴部５ａは、貫通方向に段差のある形状となっており、段差部に当接するように結像光学系３が、遮光部材５の貫通穴部５ａに嵌め込まれている。なお、結像光学系３の固定に関しては、貫通穴部５ａに結像光学系３を嵌合による支持だけでなく、遮光部材５によって、結像光学系３の読取対象M側が収納部２Ｌに固定される場合は、単に、貫通穴部５ａ又は遮光部材５に結像光学系３を接触させるだけでもよい。
【０１３１】
図４６に記載の画像読取装置１０では、貫通穴部５ａに結像光学系３を嵌め込んだ遮光部材５を透明体２の収納部２Ｌに嵌合させることで、結像光学系３と収納部２Ｌの一部とを接触させて結像光学系３を透明体２に固定することができる。よって、固定部（係合部２ｃなど）の基板６を抱え込む力の大小に関わらず、結像光学系３を保持することができる画像読取装置を得ることができる。
【０１３２】
図４７において、図中、同一又は同等の構成要素には同一符号を付しその説明を省略する。図４７において、遮光部材５は、柔らかい樹脂やゴム等の弾性体で形成され、基板６の上に載置されている。遮光部材５の貫通穴部５ａは、貫通方向に段差のある形状となっており、段差部に当接するように結像光学系３が、遮光部材５の貫通穴部５ａに嵌め込まれている。なお、結像光学系３の固定に関しては、貫通穴部５ａに結像光学系３を嵌合による支持だけでなく、遮光部材５によって、結像光学系３の読取対象M側が収納部２Ｌに固定される場合は、単に、貫通穴部５ａ又は遮光部材５に結像光学系３を接触させるだけでもよい。
【０１３３】
図４７に記載の画像読取装置１０では、透明体２は、内側に凹み部２Ｌを有する構造を成しており、この凹み部２Ｌに遮光部材５及び結像光学系３が内蔵されている。結像光学系３のセンサＩＣ４と反対側の端部は透明体２の凹み部２Ｌの最深部に接触している。これは、貫通穴部５ａに結像光学系３を嵌め込んだ遮光部材５（弾性体）を透明体２の収納部２Ｌに嵌合させることで、結像光学系３と収納部２Ｌの一部とを接触させて結像光学系３を透明体２に固定することが構成されている。よって、固定部（係合部２ｃなど）の基板６を抱え込む力の大小に関わらず、結像光学系３を保持することができる画像読取装置を得ることができる。
【０１３４】
遮光部材５（弾性体）は変形可能であり、押圧されることにより、基板６との接触部が若干変形することにより、防塵部材７の機能を兼ねている。もちろん、透明体２は、係合部２ｃにて基板６に基板６の外周に引っ掛かるように固定されており、このように透明体２が基板６に固定されることにより、遮光部材５及び結像光学系３が押圧されるような形で基板６に固定してもよい。図示はしてないが、遮光部材５（弾性体）と防塵部材７とを別部材にしてもよい。
【０１３５】
図４８及び図４９において、図中、同一又は同等の構成要素には同一符号を付しその説明を省略する。図４８及び図４９において、接着剤２１は光を透過する透光性のものである。図４８に記載の画像読取装置１０は、結像光学系３と透明体２の接触面全面に接着剤２１を塗布した場合である。詳しくは、結像光学系３を収納部２Ｌに収納し、結像光学系３の読取対象Ｍ側の部分を収納部２Ｌに固定するために、結像光学系３の取対象Ｍ側の部分と透明体２との間の全面に接着剤２１を介在させて接着させたものである。
【０１３６】
図４９に記載の画像読取装置１０は、結像光学系３と透明体２の接触面の外周部に接着剤２１を塗布した場合である。詳しくは、結像光学系３を収納部２Ｌに収納し、結像光学系３の読取対象Ｍ側の部分を収納部２Ｌに固定するために、結像光学系３の読取対象Ｍ側の部分における外周部と透明体２との間に接着剤２１を介在させて接着させたものである。結像光学系３の外周部が、結像光学系３における複数のレンズを支持している板材のみ、又は、板材及び結像光学系３の光学的に無効な部分だけである場合は、接着剤２１は、透明ではないもの、例えば、遮光の機能がある有色を使用してもよい。
【０１３７】
よって、図４８及び図４９に記載の画像読取装置１０は、固定部（係合部２ｃなど）の基板６を抱え込む力の大小に関わらず、結像光学系３を保持することができる画像読取装置を得ることができる。また、図４８及び図４９に記載の画像読取装置１０の遮光部材５は、透明体２に結像光学系３が固定されているので、貫通穴部５ａ又は遮光部材５に結像光学系３を接触させるだけでもよい。
【０１３８】
図５０，図５１，図５２において、図中、同一又は同等の構成要素には同一符号を付しその説明を省略する。図５０において、接着剤２２は、結像光学系３の側面と透明体２の側面（収納部２Ｌ）を接着され、結像光学系３を透明体２に固定するものである。図５１において、楔部材２３は、結像光学系３の側面と透明体２の側面（収納部２Ｌ）に挿入されることにより、結像光学系３を透明体２に固定している。図５２において、係合部２ｇは、透明体２の内部に結像光学系３を係合するものである。係合部２ｇにより、結像光学系３を係合することにより、結像光学系３を透明体２に固定している。
【０１３９】
よって、図５０，図５１，図５２に記載の画像読取装置１０は、固定部（係合部２ｃなど）の基板６を抱え込む力の大小に関わらず、結像光学系３を保持することができる画像読取装置を得ることができる。また、図５０，図５１，図５２に記載の画像読取装置１０の遮光部材５は、透明体２に結像光学系３が固定されているので、貫通穴部５ａ又は遮光部材５に結像光学系３を接触させるだけでもよい。なお、図５０，図５１，図５２に記載の画像読取装置１０は、透明体２に基板６を係合することで完成する構造となっている。透明体２に基板６を係合する際は、基板６上に形成された遮光部材２の貫通穴部５ａと結像光学系３とを接触させて、貫通穴部５ａの内部を遮光する必要がある。
【０１４０】
実施の形態６に係る画像読取装置においても、固定部は、透明体２を基板６に固定し、この固定による基板６からの押圧力で、遮光部材５を透明体２に接触させるものでもよい。また、実施の形態６に係る画像読取装置においても、固定部は、透明体２を基板６に固定し、この固定による基板６からの押圧力で、遮光部材５を透明体２及び結像光学系３に接触させるものでもよい。実施の形態６に係る画像読取装置において、結像光学系３の読取対象Ｍ側を透明体２に接触させる場合や固定する場合で、結像光学系３と読取対象Ｍとの間の部分の反射光の光路を切り欠くときは、この切り欠きによってできる開口（空間Ｓ）よりも結像光学系３の外形を大きくしておく必要がある。空間Ｓの取り扱いは、他の実施の形態と同じである。
【０１４１】
実施の形態７．
本発明に係る実施の形態７に関して、図５３〜図６０を用いて説明する。実施の形態７では、本発明に係る画像読取装置の光源素子１の配置の変形例と光源素子１の光源ホルダについて説明する。実施の形態７に係る画像読取装置の光源素子１は、前述のサイドライト方式の変形例である。実施の形態７に係る画像読取装置（光源素子１の配置の変形例）と他の実施の形態に係る画像読取装置との相違点は次のとおりである。光源素子１は、透明体２の読取対象Ｍに対して反対側の端部に、主走査方向（Ｘ軸方向）に沿って、光源素子１からの光を反射する反射領域１５が形成され、センサＩＣ４の主走査方向（Ｘ軸方向）の端部に配置された受光素子よりも、端部に配置された受光素子の隣に配置された受光素子に対して外側に形成され、反射領域１５の外における透明体２の読取対象Ｍに対して反対側の端部に対向して配置されている。よって、実施の形態７に係る画像読取装置と他の実施の形態に係る画像読取装置とは、相互に置換可能である。
【０１４２】
図５３は、実施の形態７に係る画像読取装置の斜視図である。図５４は、図５３に示す画像読取装置１０の展開図（分解図（分解斜視図））である。図５５は、図５３に示すＹ軸とＺ軸とで規定されるＹＺ平面と平行な平面である仮想平面での画像読取装置１０の断面図である。図５６は、実施の形態７に係る画像読取装置の斜視図である。図５８は、図５６に示す画像読取装置１０の展開図（分解図（分解斜視図））である。図５７は、図５６に示すＹ軸とＺ軸とで規定されるＹＺ平面と平行な平面である仮想平面での画像読取装置１０の断面図である。仮想平面に関しては、主走査方向（Ｘ軸方向）に複数並べられた係止部２ｃの一つと交差する部分の断面図である。なお、係止部２ｃは、結像光学系３を間に挟んで二列並べられているので、厳密には、仮想平面は主走査方向（Ｘ軸方向）に複数並べられた係止部２ｃの二つと交差する断面といえる。
【０１４３】
図５３，図５４，図５５において、図中、同一又は同等の構成要素には同一符号を付しその説明を省略する。図５３，図５４，図５５において、光源素子１は、基板６のセンサＩＣ４が形成された面と同じ面上に主走査方向（Ｘ軸方向）の端部に配置されている。図５３及び図５４では主走査方向（Ｘ軸方向）の両方の端部に光源素子１（１ａ、１ｂ）を形成しているが、片方の端部だけでもよい。透明体２は、主走査方向（Ｘ軸方向）に向かう連れ、端部が基板６側に屈曲していき、最終的は、光源素子１を覆っている。この覆っている部分から、照明光が透明体２の内に入り、光源素子１ａからの光は反射領域１５ａで反射されることで、読取対象搬送側面２ｂから読取対象Ｍへ照明光が照射され反射用照明となる。光源素子１ｂからの光は反射領域１５ｂで反射されることで、読取対象搬送側面２ｂの対向面から読取対象Ｍへ照明光が照射され透過用照明となる。なお、透明体２の端部の屈曲部分は、読取対象搬送側面２ｂと連続しており、透明体２の端部の屈曲部分の光源素子１を覆っている部分は、反射領域１５の外における透明体２の読取対象Ｍに対して反対側の端部となる。
【０１４４】
図５３，図５４，図５５に記載の画像読取装置１０は、光源素子１からＺ軸方向に発光した光は、透明体２の端部の屈曲部分で反射して、概ね主走査方向（Ｘ軸方向）に曲げられ、透明体２の内部を反射しながら主走査方向（Ｘ軸方向）へ伝搬する。主走査方向（Ｘ軸方向）へ伝搬の過程で、反射領域１５で反射され、Ｚ軸方向に光が反射される。Ｚ軸方向に反射された光の経路（光路）は、他の実施の形態において光源素子１から発光されたものと同様である。また、図５５における画像読取装置１０の基板６への防塵部材７、遮光部材５、結像光学系３、透明体２の固定方法は、他の実施の形態と同様である。
【０１４５】
よって、図５３，図５４，図５５に記載の画像読取装置１０は、サイドライト方式であっても、基板６上、或いは、ＸＹ平面上に光源素子１を形成することができる画像読取装置を得ることができる。
【０１４６】
図５６，図５７，図５８において、図中、同一又は同等の構成要素には同一符号を付しその説明を省略する。図５６，図５７，図５８において、光源ホルダ３１（ＬＥＤホルダ３１）は、光源素子１（１ａ、１ｂ）が実装された面に透明体２の端部が挿入されるものである。光源ホルダ３１には、図５８に示すように、光源素子１が形成された基板と透明体２の端部が収納される窪みが形成されている。図５６及び図５８では主走査方向（Ｘ軸方向）の両方の端部に光源ホルダ３１を形成しているが、片方の端部だけでもよい。ホルダピン３１ａは、光源ホルダ３１の読取対象Ｍ側と反対側に端部に形成されたピンである。本発明の図面では、ホルダピン３１がスナップフィットの場合を示している。ホルダピン用穴２ｍは、主走査方向（Ｘ軸方向）の端部における透明体２の鍔部２ｉに、副走査方向（Ｙ軸方向）に沿って形成されたホルダピン３１が挿入される穴である。ホルダピン用穴６ｃは、基板６の主走査方向（Ｘ軸方向）の端部に、副走査方向（Ｙ軸方向）に沿って形成されたホルダピン３１が挿入される穴である。
【０１４７】
光源ホルダ３１は、ホルダピン３１ａ、ホルダピン用穴２ｍ及びホルダピン用穴６ｃに挿入されることで、透明体２の主走査方向（Ｘ軸方向）の端部に固定される。詳しくは、ホルダピン３１であるスナップフィットの先端の返し部分が基板６のセンサＩＣ４が形成された面と反対の面側に飛び出すことで、光源ホルダ３１が固定される。また、透明体２において、主走査方向（Ｘ軸方向）の端部に鍔部２ｉを形成せずに、基板６のホルダピン用穴６ｃが形成された部分を露出させて、そのホルダピン用穴６ｃに直接、ホルダピン３１を挿入するようにしてもよい。逆に、基板６において、主走査方向（Ｘ軸方向）の端部に鍔部２ｉと対向する部分を形成せずに、鍔部２ｉに形成されたホルダピン用穴２ｍのみに、ホルダピン３１を挿入するようにしてもよい。さらに、基板６において、主走査方向（Ｘ軸方向）の端部に鍔部２ｉと対向する部分は形成するが、ホルダピン用穴６ｃを形成せずに、鍔部２ｉに形成されたホルダピン用穴２ｍのみに、ホルダピン３１を挿入するようにしてもよい。
【０１４８】
また、光源ホルダ３１は、透明体２の読取対象Ｍに対して反対側の端部に、主走査方向（Ｘ軸方向）に沿って、光源素子１（１ａ、１ｂ）からの光を反射する反射領域１５（１５ａ、１５ｂ）が形成され、センサＩＣ４の主走査方向（Ｘ軸方向）の端部に配置された受光素子よりも、主走査方向（Ｘ軸方向）の端部に配置された受光素子の隣に配置された受光素子に対して外側で、透明体２の鍔部２ｉ（基板６）上で固定されているともいえる。図５６及び図５８に示す光源ホルダ３１は、透明体２の鍔部２ｉ（基板６）上に固定するものだが、光源ホルダ３１は、透明体２の主走査方向（Ｘ軸方向）の端部に挿入するだけで、透明体２の鍔部２ｉと直接接触させずに固定してもよい。
【０１４９】
図５６，図５７，図５８に記載の画像読取装置１０は、光源素子１が透明体２の主走査方向の端部に設けられた光源ホルダ３１上に配置されたものである。光源素子１（１ａ、１ｂ）から発光した光は透明体２の内部を反射しながら主走査方向（Ｘ軸方向）へ伝搬する。主走査方向（Ｘ軸方向）へ伝搬の過程で、反射領域１５（１５ａ、１５ｂ）で反射され、Ｚ軸方向に光が反射される。Ｚ軸方向に反射された光の経路（光路）は、他の実施の形態において光源素子１から発光されたものと同様である。また、図５６における画像読取装置１０の基板６への防塵部材７、遮光部材５、結像光学系３、透明体２の固定方法は、他の実施の形態と同様である。
【０１５０】
よって、図５６，図５７，図５８に記載の画像読取装置１０は、サイドライト方式であっても、光源素子１を内蔵することができる画像読取装置を得ることができる。なお、図５７に記載の断面図は、先に説明した図５５に記載の断面図とは同じ形状になっている。これは、光源素子１の配置が、両者の違いであるためである。
【０１５１】
実施の形態８．
これまでの実施の形態では反射用照明と透過用照明をサイドライト方式、またはアレイ方式に統一したものであるが、本実施の形態８では図５９に示すとおり反射照明と透過照明を別の方式にした例である。図５９では反射用照明をアレイ方式、透過照明をサイドライト方式にした例であるが、もちろん反射照明をサイドライト方式、透過照明をアレイ方式にしてもよい。サイドライト方式は照度の均一性、アレイ方式は照明効率の高さというメリットがそれぞれにあるため、反射照明と透過照明に必要な特性に合わせて都合のよい方式を選択すればよい。
【０１５２】
また、図６０は図５９の変形例である主走査の左右に設置された光源ホルダ３１を１つの部材とした場合である。光源ホルダは照明効率を上げるため反射率の高い白樹脂などで作製することが望ましい。そのため、図６０のように光源ホルダ３１をつなげることで反射領域１５ｂの上面に白樹脂の面を設けることができる。この白樹脂面によって反射領域１５ｂを透過した光を読取対象Ｍへ戻すことができるためより明るい照明を行うことができる。
【符号の説明】
【０１５３】
１  光源素子
１ａ  反射照明用光源素子
１ｂ  透過照明用光源素子
１ｄ  光源光駆動回路
２  透明体（導光体）
２ａ  導光部
２ｂ  読取対象搬送側面（原稿設置面）
２ｃ  係合部
２ｄ  係合部
２ｅ  突起部
２ｆ  突起部
２ｇ  係合部
２ｉ  鍔部
２ｊ  ネジ穴
２ｋ  突起部
２Ｌ  収納部（凹み部）
２ｍ  ホルダピン用穴
２ｐ  開口部
２ｑ  導光部
２ｒ  ピン
２ｓ  組み付け部
２ｔ  突起
３  結像光学系（レンズアレイ部）
４  センサＩＣ（ラインセンサ部）、
５  遮光部材（遮光部）
５ａ  貫通穴部
５ｂ  穴部
６  基板
６ａ  穴
６ｂ  位置決め用穴
６ｃ  ホルダピン用穴
６ｄ  透過照明用基板
７  防塵部材
８  外部コネクタ
９  ネジ
１０  画像読取装置
１１  信号処理ＩＣ
１２  信号処理部
１２ａ  ＣＰＵ
１２ｂ  ＲＡＭ
１２ｃ  信号処理回路
１３ａ  第１経路
１３ｂ  第２経路
１３ｃ  第２経路
１３ｄ  第２経路
１３ｅ  第２経路
１３ｆ  第２経路
１３ｇ  第３経路
１４  ミラー面
１４ａ  ミラー面
１４ｂ  ミラー面
１４ｃ  ミラー面
１５  反射領域（反射パターン，反射プリズム）
１５ａ 反射照明用反射領域
１５ｂ 透過照明用反射領域
１６  クリップ
１７  クリップ
１８  接着剤、
１９  弾性体
２１  接着剤
２２  接着剤
２３  楔部材
３１  光源ホルダ
３１ａ  ホルダピン。
【図１】
2015231163.tif 000007
【図２】
2015231163.tif 000008
【図３】
2015231163.tif 000009
【図４】
2015231163.tif 000010
【図５】
2015231163.tif 000011
【図６】
2015231163.tif 000012
【図７】
2015231163.tif 000013
【図８】
2015231163.tif 000014
【図９】
2015231163.tif 000015
【図１０】
2015231163.tif 000016
【図１１】
2015231163.tif 000017
【図１２】
2015231163.tif 000018
【図１３】
2015231163.tif 000019
【図１４】
2015231163.tif 000020
【図１５】
2015231163.tif 000021
【図１６】
2015231163.tif 000022
【図１７】
2015231163.tif 000023
【図１８】
2015231163.tif 000024
【図１９】
2015231163.tif 000025
【図２０】
2015231163.tif 000026
【図２１】
2015231163.tif 000027
【図２２】
2015231163.tif 000028
【図２３】
2015231163.tif 000029
【図２４】
2015231163.tif 000030
【図２５】
2015231163.tif 000031
【図２６】
2015231163.tif 000032
【図２７】
2015231163.tif 000033
【図２８】
2015231163.tif 000034
【図２９】
2015231163.tif 000035
【図３０】
2015231163.tif 000036
【図３１】
2015231163.tif 000037
【図３２】
2015231163.tif 000038
【図３３】
2015231163.tif 000039
【図３４】
2015231163.tif 000040
【図３５】
2015231163.tif 000041
【図３６】
2015231163.tif 000042
【図３７】
2015231163.tif 000043
【図３８】
2015231163.tif 000044
【図３９】
2015231163.tif 000045
【図４０】
2015231163.tif 000046
【図４１】
2015231163.tif 000047
【図４２】
2015231163.tif 000048
【図４３】
2015231163.tif 000049
【図４４】
2015231163.tif 000050
【図４５】
2015231163.tif 000051
【図４６】
2015231163.tif 000052
【図４７】
2015231163.tif 000053
【図４８】
2015231163.tif 000054
【図４９】
2015231163.tif 000055
【図５０】
2015231163.tif 000056
【図５１】
2015231163.tif 000057
【図５２】
2015231163.tif 000058
【図５３】
2015231163.tif 000059
【図５４】
2015231163.tif 000060
【図５５】
2015231163.tif 000061
【図５６】
2015231163.tif 000062
【図５７】
2015231163.tif 000063
【図５８】
2015231163.tif 000064
【図５９】
2015231163.tif 000065
【図６０】
2015231163.tif 000066